(57)【要約】【課題】安定剤混合物【解決手段】成分（Ｉ）、（ＩＩ）及び（ＩＩＩ）を含む安定剤混合物であって、成分（Ｉ）は、例えば、式（Ｂ−１−ｂ）【化１】
2004002808.tif 000122
（式中、Ｅ１は水素原子を表す。）で表される化合物であり、成分（ＩＩ）は、例えば、式（Ｂ−０−ａ）【化２】
2004002808.tif 000123
（式中、Ｅ１＊は水素原子を表す。）で表される化合物であり、及び成分（ＩＩＩ）は、例えば、式（Ｃ−１−ａ）【化３】
2004002808.tif 000124
（式中、ｂ１は２ないし２０の数を表し、そしてＲ６は水素原子を表す。）で表される化合物であり、この安定剤混合物は、光、熱又は酸化により誘発される分解に対し、有機材料を安定化させるために有用である。【特許請求の範囲】
【請求項１】
成分（Ｉ）、（ＩＩ）及び（ＩＩＩ）を含む安定剤混合物であって、
成分（Ｉ）は、式（Ｂ−１）、（Ｂ−２）、（Ｂ−４）、（Ｂ−５）、（Ｂ−７）、（Ｂ−８）、（Ｂ−９）または（Ｂ−１０）で表される化合物であり、
成分（ＩＩ）は、式（Ｂ−０）、（Ｂ−３）または（Ｂ−６）表される化合物であり、及び
成分（ＩＩＩ）は、式（Ｃ−１）、（Ｃ−２）、（Ｃ−３）、（Ｃ−４）または（Ｃ−５）で表される化合物か、または生成物（Ｃ−６）であり、
式（Ｂ−０）は
【化１】
2004002808.tif 000077
（式中、Ｅ１＊はＥ１の意味の１つを有し、及び
Ｅ２＊は炭素原子数１ないし２５のアルキル基を表す。）であり；
式（Ｂ−１）は
【化２】
2004002808.tif 000078
〔式中、Ｅ１は、水素原子、炭素原子数１ないし８のアルキル基、Ｏ・、−ＯＨ、−ＣＨ２ＣＮ、炭素原子数１ないし１８のアルコキシ基、炭素原子数５ないし１２のシクロアルコキシ基、炭素原子数３ないし６のアルケニル基、未置換の又は１、２又は３個の炭素原子数１ないし４のアルキル基によってフェニル基上を置換された炭素原子数７ないし９のフェニルアルキル基を表すか又は炭素原子数１ないし８のアシル基を表し、
ｍ１は、２又は４を表し、
もしもｍ１が２の場合、Ｅ２は炭素原子数１ないし１４のアルキレン基又は式（ｂ−１）
【化３】
2004002808.tif 000079
（式中、Ｅ３は炭素原子数１ないし１０のアルキル基又は炭素原子数２ないし１０のアルケニル基を表し、Ｅ４は炭素原子数１ないし１０のアルキレン基を表し、そしてＥ５及びＥ６は、互いに独立して、炭素原子数１ないし４のアルキル基、シクロへキシル基、又はメチルシクロヘキシル基を表す。）の基を表し、及び
もしもｍ１が４の場合、Ｅ２は炭素原子数４ないし１０のアルカンテトライル基を表す。〕であり；
式（Ｂ−２）は
【化４】
2004002808.tif 000080
〔式中、基Ｅ７の２つは−ＣＯＯ−（炭素原子数１ないし２０のアルキル基）を表し、又
基Ｅ７の２つは式（ｂ−ＩＩ）
【化５】
2004002808.tif 000081
（式中、Ｅ８は前記Ｅ１の意味の１つを有する。）
の基を表す。〕であり；
式（Ｂ−３）は
【化６】
2004002808.tif 000082
（式中、Ｅ９及びＥ１０は、一緒になって、炭素原子数２ないし１４のアルキレン基を形成し、
Ｅ１１は、水素原子又は基−Ｚ１−ＣＯＯ−Ｚ２を表し、
Ｚ１は、炭素原子数２ないし１４のアルキレン基を表し、
Ｚ２は、炭素原子数１ないし２４のアルキル基を表し、及び
Ｅ１２は、前記Ｅ１の意味の１つを有する。）であり；
式（Ｂ−４）は
【化７】
2004002808.tif 000083
（式中、基Ｅ１３は、互いに独立して、前記Ｅ１の意味の１つを有し、
基Ｅ１４は、互いに独立して、水素原子又は炭素原子数１ないし１２のアルキル基を表し、及び
Ｅ１５は、炭素原子数１ないし１０のアルキレン基又は炭素原子数３ないし１０のアルキリデン基を表す。）であり；
式（Ｂ−５）は
【化８】
2004002808.tif 000084
（式中、基Ｅ１６は、互いに独立して、前記Ｅ１の意味の１つを有する。）
であり；
式（Ｂ−６）は
【化９】
2004002808.tif 000085
（式中、Ｅ１７は、炭素原子数１ないし２４のアルキル基を表し、及び
Ｅ１８は、前記Ｅ１の意味の１つを有する。）であり；
式（Ｂ−７）は
【化１０】
2004002808.tif 000086
〔式中、Ｅ１９、Ｅ２０及びＥ２１は、互いに独立して、式（ｂ−ＩＩＩ）
【化１１】
2004002808.tif 000087
（式中、Ｅ２２は、前記Ｅ１の意味の１つを有する。）の基を表す。〕
であり；
式（Ｂ−８）は
【化１２】
2004002808.tif 000088
（式中、基Ｅ２３は、互いに独立して、前記Ｅ１の意味の１つを有し、
及び基Ｅ２４は、水素原子、炭素原子数１ないし１２のアルキル基又は、炭素原子数１ないし１２のアルコキシ基を表す）であり；
式（Ｂ−９）は
【化１３】
2004002808.tif 000089
〔式中、ｍ２は、１、２又は３を表し、
Ｅ２５は、前記Ｅ１の意味の１つを有し、及び
ｍ２が１の場合は、Ｅ２６は基
【化１４】
2004002808.tif 000090
を表し、
ｍ２が２の場合は、Ｅ２６は炭素原子数２ないし２２のアルキレン基を表し、又
ｍ２が３の場合は、Ｅ２６は式（ｂ−ＩＶ）
【化１５】
2004002808.tif 000091
（式中、基Ｅ２７は、互いに独立して、炭素原子数２ないし１２のアルキレン基を表し、及び
基Ｅ２８は、互いに独立して、炭素原子数１ないし１２のアルキル基、又は炭素原子数５ないし１２のシクロアルキル基を表す。）の基を表す。〕であり；
式（Ｂ−１０）は
【化１６】
2004002808.tif 000092
［式中、基Ｅ２９は、互いに独立して、前記Ｅ１の意味の１つを有し、及び
Ｅ３０は、炭素原子数２ないし２２のアルキレン基、炭素原子数５ないし７のシクロアルキレン基、炭素原子数１ないし４のアルキレンジ（炭素原子数５ないし７のシクロアルキレン）基、フェニレン基又はフェニレンジ（炭素原子数１ないし４のアルキレン）基を表す。］であり；
式（Ｃ−１）は
【化１７】
2004002808.tif 000093
［式中、Ｒ１、Ｒ３、Ｒ４及びＲ５は、互いに独立して、水素原子、炭素原子数１ないし１２のアルキル基、炭素原子数５ないし１２のシクロアルキル基、炭素原子数１ないし４のアルキル基により置換された炭素原子数５ないし１２のシクロアルキル基、フェニル基、−ＯＨ及び／又は炭素原子数１ないし１０のアルキル基によって置換されたフェニル基、炭素原子数７ないし９のフェニルアルキル基、−ＯＨ及び／又は炭素原子数１ないし１０のアルキル基によってフェニル基上を置換された炭素原子数７ないし９のフェニルアルキル基、又は式（ｃ−Ｉ）
【化１８】
2004002808.tif 000094
の基を表し、
Ｒ２は、炭素原子数２ないし１８のアルキレン基、炭素原子数５ないし７のシクロアルキレン基、又は炭素原子数１ないし４のアルキレンジ（炭素原子数５ないし７のシクロアルキレン）基を表すか、又は
基Ｒ１、Ｒ２及びＲ３が、それらが結合する窒素原子と一緒になって、５−ないし１０−員複素環式環を形成するか、又は
Ｒ４及びＲ５が、それらが結合する窒素原子と一緒になって、５−ないし１０−員複素環式環を形成し、
Ｒ６は、水素原子、炭素原子数１ないし８のアルキル基、Ｏ・、−ＯＨ、−ＣＨ２ＣＮ、炭素原子数１ないし１８のアルコキシ基、炭素原子数５ないし１２のシクロアルコキシ基、炭素原子数３ないし６のアルケニル基、未置換の又は１、２又は３個の炭素原子数１ないし４のアルキル基によってフェニル基上を置換された炭素原子数７ないし９のフェニルアルキル基、又は炭素原子数１ないし８のアシル基を表し、及び
ｂ１は、２ないし５０の数を表すが、
但し、基Ｒ１、Ｒ３、Ｒ４及びＲ５の少なくとも１つは、式（ｃ−Ｉ）の基を表す。］であり；
式（Ｃ−２）は
【化１９】
2004002808.tif 000095
〔式中、Ｒ７及びＲ１１は、互いに独立して水素原子、又は炭素原子数１ないし１２のアルキル基を表し、
Ｒ８、Ｒ９及びＲ１０は、互いに独立して、炭素原子数２ないし１０のアルキレン基を表し、及び
Ｘ１、Ｘ２、Ｘ３、Ｘ４、Ｘ５、Ｘ６、Ｘ７、及びＸ８は、互いに独立して、式（ｃ−ＩＩ）
【化２０】
2004002808.tif 000096
（式中、Ｒ１２は、水素原子、炭素原子数１ないし１２のアルキル基、炭素原子数５ないし１２のシクロアルキル基、炭素原子数１ないし４のアルキル基により置換された炭素原子数５ないし１２のシクロアルキル基、フェニル基、−ＯＨ及び／又は炭素原子数１ないし１０のアルキル基により置換されたフェニル基、炭素原子数７ないし９のフェニルアルキル基、−ＯＨ及び／又は炭素原子数１ないし１０のアルキル基によってフェニル基上を置換された炭素原子数７ないし９のフェニルアルキル基、又は
上記で定義された式（ｃ−Ｉ）の基を表し、及び
Ｒ１３は、前記Ｒ６の意味の１つを有する。）を表す。〕であり；
式（Ｃ−３）は
【化２１】
2004002808.tif 000097
（式中、Ｒ１４は、炭素原子数１ないし１０のアルキル基、炭素原子数５ないし１２のシクロアルキル基、炭素原子数１ないし４のアルキル基により置換された炭素原子数５ないし１２のシクロアルキル基、フェニル基、又は炭素原子数１ないし１０のアルキル基により置換されたフェニル基を表し、
Ｒ１５は、炭素原子数３ないし１０のアルキレン基を表し、
Ｒ１６は、前記Ｒ６の意味の１つを有し、及び
ｂ２は、２ないし５０の数を表す。）
であり；
式（Ｃ−４）は
【化２２】
2004002808.tif 000098
〔式中、Ｒ１７及びＲ２１は、互いに独立して、直接結合、又は−Ｎ（Ｘ９）−ＣＯ−Ｘ１０−ＣＯ−Ｎ（Ｘ１１）−基（式中、Ｘ９及びＸ１１は、互いに独立して、水素原子、炭素原子数１ないし８のアルキル基、炭素原子数５ないし１２のシクロアルキル基、フェニル基、炭素原子数７ないし９のフェニルアルキル基、又は式（ｃ−Ｉ）の基を表し、
Ｘ１０は、直接結合、又は炭素原子数１ないし４のアルキレン基を表す。）を表し、Ｒ１８は、前記Ｒ６の意味の１つを有し、
Ｒ１９、Ｒ２０、Ｒ２３及びＲ２４は、互いに独立して、水素原子、炭素原子数１ないし３０のアルキル基、炭素原子数５ないし１２のシクロアルキル基、又はフェニル基を表し、
Ｒ２２は、水素原子、炭素原子数１ないし３０のアルキル基、炭素原子数５ないし１２のシクロアルキル基、フェニル基、炭素原子数７ないし９のフェニルアルキル基、又は式（ｃ−Ｉ）の基を表し、及び
ｂ３は１ないし５０の数を表す。〕であり；
式（Ｃ−５）は
【化２３】
2004002808.tif 000099
〔式中、Ｒ２５、Ｒ２６、Ｒ２７、Ｒ２８及びＲ２９は、互いに独立して、直接結合、又は、炭素原子数１ないし１０のアルキレン基を表し、
Ｒ３０は、前記Ｒ６の意味の１つを有し、及び
ｂ４は１ないし５０の数を表す。）であり；生成物（Ｃ−６）は
塩化シアヌルと式（Ｃ−６−１）
【化２４】
2004002808.tif 000100
（式中、ｂ’５、ｂ’’５及びｂ’’’５は、互いに独立して２ないし１２の数を表す。）で表されるポリアミンの反応によって得られる生成物を、式（Ｃ−６―２）
【化２５】
2004002808.tif 000101
（式中、Ｒ３１は、水素原子、炭素原子数１ないし１２のアルキル基、炭素原子数５ないし１２のシクロアルキル基、フェニル基、又は炭素原子数７ないし９のフェニルアルキル基を表し、及びＲ３２は、前記Ｒ６の意味の１つを有する。）で表される化合物と反応させることによって得られ得る生成物である安定剤混合物。
【請求項２】
式中、ｍ１は、２又は４を表し、
Ｅ２＊は、炭素原子数１２ないし２０のアルキル基を表し、
もしもｍ１が２の場合、Ｅ２は、炭素原子数２ないし１０のアルキレン基、又は式（ｂ−１）の基を表し、
Ｅ３は、炭素原子数１ないし４のアルキル基を表し、
Ｅ４は、炭素原子数１ないし６のアルキレン基を表し、及び
Ｅ５及びＥ６は互いに独立して、炭素原子数１ないし４のアルキル基を表し、又
もしもｍ１が４の場合、Ｅ２は、炭素原子数４ないし８のアルカンテトライル基を表し、
基Ｅ７の２つは、−ＣＯＯ−（炭素原子数１０ないし１５のアルキル基）を表し、又基Ｅ７の２つは、式（ｂ−ＩＩ）の基を表し、
Ｅ９及びＥ１０は、一緒になって、炭素原子数９ないし１３のアルキレン基を形成し、
Ｅ１１は、水素原子、又は基−Ｚ１−ＣＯＯ−Ｚ２を表し、
Ｚ１は、炭素原子数２ないし６のアルキレン基を表し、及び
Ｚ２は、炭素原子数１０ないし１６のアルキル基を表し、
Ｅ１４は、水素原子を表し、及び
Ｅ１５は、炭素原子数２ないし６のアルキレン基、又は炭素原子数３ないし５のアルキリデン基を表し、
Ｅ１７は、炭素原子数１０ないし１４のアルキル基を表し、
Ｅ２４は、炭素原子数１ないし４のアルコキシ基を表し、
ｍ２は、１、２又は３を表し、
ｍ２が１の場合、Ｅ２６は、基
【化２６】
2004002808.tif 000102
を表し、
ｍ２が２の場合、Ｅ２６は、炭素原子数２ないし６のアルキレン基を表し、そしてｍ２が３の場合、Ｅ２６は、式（ｂ−ＩＶ）の基を表し、
基Ｅ２７は、互いに独立して、炭素原子数２ないし６のアルキレン基を表し、及び、
基Ｅ２８は、互いに独立して、炭素原子数１ないし４のアルキル基、又は炭素原子数５ないし８のシクロアルキル基を表し、及び
Ｅ３０は、炭素原子数２ないし８のアルキレン基を表す請求項１記載の安定剤混合物。
【請求項３】
式中、Ｒ１及びＲ３は、互いに独立して、式（ｃ−Ｉ）の基を表し、
Ｒ２は、炭素原子数２ないし８のアルキレン基を表し、
Ｒ４及びＲ５は、互いに独立して、水素原子、炭素原子数１ないし１２のアルキル基、炭素原子数５ないし８のシクロアルキル基、又は式（ｃ−Ｉ）の基を表すか、又は基Ｒ４及びＲ５が、それらが結合する窒素原子と一緒になって、５−ないし１０−員複素環式環を形成し、及び
ｂ１は、２ないし２５の数を表し、
Ｒ７及びＲ１１は、互いに独立して、水素原子、又は炭素原子１ないし４のアルキル基を表し、
Ｒ８、Ｒ９及びＲ１０は、互いに独立して、炭素原子数２ないし４のアルキレン基を表し、及び
Ｘ１、Ｘ２、Ｘ３、Ｘ４、Ｘ５、Ｘ６、Ｘ７、及びＸ８は、互いに独立して、式（ｃ−ＩＩ）の基を表し、
Ｒ１２は、水素原子、炭素原子数１ないし４のアルキル基、炭素原子数５ないし８のシクロアルキル基、又は、式（ｃ−Ｉ）の基を表し、
Ｒ１４は、炭素原子数１ないし４のアルキル基を表し、
Ｒ１５は、炭素原子数３ないし６のアルキレン基を表し、及び
ｂ２は、２ないし２５の数を表し、
Ｒ１７及びＲ２１は、互いに独立して、直接結合、又は基−Ｎ（Ｘ９）−ＣＯ−Ｘ１０−ＣＯ−Ｎ（Ｘ１１）−を表し、
Ｘ９及びＸ１１は、互いに独立して、水素原子、炭素原子数１ないし４のアルキル基を表し、
Ｘ１０は、直接結合を表し、
Ｒ１９及びＲ２３は、炭素原子数１ないし２５のアルキル基又はフェニル基を表し、Ｒ２０及びＲ２４は、水素原子、又は炭素原子数１ないし４のアルキル基を表し、
Ｒ２２は、炭素原子数１ないし２５のアルキル基、又は式（ｃ−１）の基を表し、及び
ｂ３は、１ないし２５の数を表し、
Ｒ２５、Ｒ２６、Ｒ２７、Ｒ２８及びＲ２９は、互いに独立して、直接結合、又は炭素原子数１ないし４のアルキレン基を表し及び、
ｂ４は、１ないし２５の数を表し、
ｂ’５、ｂ’’５及びｂ’’’５は、互いに独立して２ないし４の数を表し、及び
Ｒ３１は、水素原子、炭素原子数１ないし４のアルキル基、炭素原子数５ないし８のシクロアルキル基、フェニル基、又はベンジル基を表す請求項１記載の安定剤混合物。
【請求項４】
成分（Ｉ）が式（Ｂ−１−ｂ）、（Ｂ−１−ｃ）、（Ｂ−１−ｄ）、（Ｂ−２−ａ）、（Ｂ−４−ａ）、（Ｂ−４−ｂ）、（Ｂ−５）、（Ｂ−７）、（Ｂ−８−ａ）、（Ｂ−９−ａ）、（Ｂ−９−ｂ）、（Ｂ−９−ｃ）又は（Ｂ−１０−ａ）で表される化合物：
成分（ＩＩ）が式（Ｂ−０−ａ）、（Ｂ−３−ａ）、（Ｂ−３−ｂ）又は（Ｂ−６−ａ）で表される化合物：及び
成分（ＩＩＩ）が式（Ｃ−１−ａ）、（Ｃ−１−ｂ）、（Ｃ−１−ｃ）、（Ｃ−１−ｄ）、（Ｃ−２−ａ）、（Ｃ−３−ａ）、（Ｃ−４−ａ）、（Ｃ−４−ｂ）、（Ｃ−４−ｃ）又は（Ｃ−５−ａ）で表される化合物、または生成物（Ｃ−６−ａ）であり：
上記化合物は、
【化２７】
2004002808.tif 000103
（上記各式中、Ｅ１及びＥ１＊は、水素原子、炭素原子数１ないし８のアルキル基、Ｏ・、−ＯＨ、−ＣＨ２ＣＮ、炭素原子数１ないし１８のアルコキシ基、炭素原子数５ないし１２のシクロアルコキシ基、炭素原子数３ないし６のアルケニル基、未置換の又は１、２又は３個の炭素原子数１ないし４のアルキル基によってフェニル基上を置換された炭素原子数７ないし９のフェニルアルキル基、又は炭素原子数１ないし８のアシル基を表す。）；
【化２８】
2004002808.tif 000104
（式中、基Ｅ７の２つは、−ＣＯＯ−Ｃ１３Ｈ２７を表し、及び
基Ｅ７の２つは、
【化２９】
2004002808.tif 000105
を表し、及びＥ８は、前記Ｅ１の意味の１つを有する。）；
【化３０】
2004002808.tif 000106
（上記各式中、Ｅ１２は、前記Ｅ１の意味の１つを有する。）；
【化３１】
2004002808.tif 000107
（上記各式中、Ｅ１３は、前記Ｅ１の意味の１つを有する。）；
【化３２】
2004002808.tif 000108
（式中、Ｅ１６は、前記Ｅ１の意味の１つを有する。）；
【化３３】
2004002808.tif 000109
（式中、Ｅ１８は、前記Ｅ１の意味の１つを有する。）；
【化３４】
2004002808.tif 000110
〔式中、Ｅ１９、Ｅ２０及びＥ２１は、互いに独立して、式（ｂ−ＩＩＩ）
【化３５】
2004002808.tif 000111
（式中、Ｅ２２は、前記Ｅ１の意味の１つを有する。）の基を表す。〕；
【化３６】
2004002808.tif 000112
（式中、Ｅ２３は、前記Ｅ１の意味の１つを有する。）；
【化３７】
2004002808.tif 000113
（上記各式中、Ｅ２５は、前記Ｅ１の意味の１つを有する。）；
【化３８】
2004002808.tif 000114
（式中、Ｅ２９は、前記Ｅ１の意味の１つを有する）；
【化３９】
2004002808.tif 000115
（上記各式中、ｂ１は、２ないし２０の数を表し、及びＲ６は、水素原子、炭素原子数１ないし８のアルキル基、Ｏ・、−ＯＨ、−ＣＨ２ＣＮ、炭素原子数１ないし１８のアルコキシ基、炭素原子数５ないし１２のシクロアルコキシ基、炭素原子数３ないし６のアルケニル基、未置換の又は１、２又は３個の炭素原子数１ないし４のアルキル基によってフェニル基上を置換された炭素原子数７ないし９のフェニルアルキル基、又は炭素原子数１ないし８のアシル基を表す。）；
【化４０】
2004002808.tif 000116
（式中、Ｒ１３は前記Ｒ６の意味の１つを有する。）；
【化４１】
2004002808.tif 000117
（式中、ｂ２は、２ないし２０の数を表し、及びＲ１６は、前記Ｒ６の意味の１つを有する。）；
【化４２】
2004002808.tif 000118
（上記各式中、ｂ３は、１ないし２０の数を表し、及びＲ１８は、前記Ｒ６の意味の１つを有する。）；又は
【化４３】
2004002808.tif 000119
（式中、ｂ４は、１ないし２０の数を表し、及びＲ３０は、前記Ｒ６の意味の１つを有する。）で表される化合物であり；生成物（Ｃ−６−ａ）は、
塩化シアヌルと式（Ｃ−６−１−ａ）
【化４４】
2004002808.tif 000120
で表されるポリアミンの反応によって得られる生成物を式（Ｃ−６―２−ａ）
【化４５】
2004002808.tif 000121
（式中、Ｒ３２は、前記Ｒ６の意味の１つを有する。）
で表される化合物と反応させることによって得られ得る生成物である請求項１記載の安定剤混合物。
【請求項５】
成分（ＩＩ）が式（Ｂ−０）の化合物である請求項１記載の安定剤混合物。
【請求項６】
成分（Ｉ）が式（Ｂ−１）、（Ｂ−４）、（Ｂ−５）、（Ｂ−８）、（Ｂ−９）または（Ｂ−１０）で表される化合物であり、
成分（ＩＩ）が式（Ｂ−０）、（Ｂ−３）または（Ｂ−６）で表される化合物であり、及び
成分（ＩＩＩ）が式（Ｃ−１）、（Ｃ−２）、（Ｃ−３）、（Ｃ−４）または（Ｃ−５）で表される化合物であるか、または生成物（Ｃ−６）である請求項１記載の安定剤混合物
【請求項７】
成分（Ｉ）が式（Ｂ−１−ｂ）、（Ｂ−１−ｃ）、（Ｂ−４−ａ）、（Ｂ−４−ｂ）、（Ｂ−５）、（Ｂ−８−ａ）、（Ｂ−９−ｂ）または（Ｂ−１０−ａ）で表される化合物であり、
成分（ＩＩ）が式（Ｂ−０−ａ）、（Ｂ−３−ａ）、（Ｂ−３−ｂ）または（Ｂ−６−ａ）で表される化合物であり、及び
成分（ＩＩＩ）が式（Ｃ−１−ａ）、（Ｃ−１−ｂ）、（Ｃ−１−ｃ）、（Ｃ−１−ｄ）、（Ｃ−２−ａ）、（Ｃ−３−ａ）、（Ｃ−４−ａ）、（Ｃ−４−ｂ）、（Ｃ−４−ｃ）、または（Ｃ−５−ａ）で表される化合物であるか、または生成物（Ｃ−６−ａ）をである請求項４記載の安定剤混合物
【請求項８】
Ｅ１、Ｅ１＊、Ｅ８、Ｅ１２、Ｅ１３、Ｅ１６、Ｅ１８、Ｅ２２、Ｅ２３、Ｅ２５、及びＥ２９が、水素原子、炭素原子数１ないし４のアルキル基、炭素原子数１ないし１０のアルコキシ基、シクロヘキシルオキシ基、アリル基、ベンジル基又はアセチル基を表す請求項１記載の安定剤混合物。
【請求項９】
Ｒ６、Ｒ１３、Ｒ１６、Ｒ１８、Ｒ３０及びＲ３２が、水素原子、炭素原子数１ないし４のアルキル基、炭素原子数１ないし１０のアルコキシ基、シクロヘキシルオキシ基、アリル基、ベンジル基又はアセチル基を表す請求項１記載の安定剤混合物。
【請求項１０】
Ｅ１、Ｅ１＊、Ｅ８、Ｅ１２、Ｅ１３、Ｅ１６、Ｅ１８、Ｅ２２、Ｅ２３、Ｅ２５、Ｅ２９、Ｒ６、Ｒ１３、Ｒ１６、Ｒ１８、Ｒ３０及びＲ３２が、水素原子又はメチル基を表し、そしてＥ１及びＲ６が更に、炭素原子数１ないし８のアルコキシ基を表す請求項４記載の安定剤混合物。
【請求項１１】
成分（Ｉ）が式（Ｂ−１−ｂ）で表される化合物（式中、Ｅ１は水素原子またはメチル基を表す。）であり、及び成分（ＩＩ）が式（Ｂ−０−ａ）で表される化合物（式中、Ｅ１＊は水素原子を表す。）である請求項４記載の安定剤混合物。
【請求項１２】
成分（Ｉ）が式（Ｂ−１−ｂ）で表される化合物（式中、Ｅ１は水素原子またはメチル基を表す。）であり、成分（ＩＩ）が式（Ｂ−０−ａ）で表される化合物（式中、Ｅ１＊は水素原子を表す。）であり、及び成分（ＩＩＩ）が式（Ｃ−１−ａ）、（Ｃ−１−ｂ）または（Ｃ−１−ｄ）で表される化合物（式中、Ｒ６は水素原子またはメチル基を表す。）である請求項４記載の安定剤混合物。
【請求項１３】
成分（Ｉ）が式（Ｂ−１−ｂ）で表される化合物（式中、Ｅ１は水素原子を表す。）であり、成分（ＩＩ）が式（Ｂ−０−ａ）で表される化合物（式中、Ｅ１＊は水素原子を表す。）であり、及び成分（ＩＩＩ）が式（Ｃ−１−ａ）で表される化合物（式中、Ｒ６は水素原子を表す。）である請求項４記載の安定剤混合物。
【請求項１４】
成分（Ｉ）が式（Ｂ−１−ｂ）で表される化合物（式中、Ｅ１はメチル基を表す。）であり、成分（ＩＩ）が式（Ｂ−６−ａ）で表される化合物（式中、Ｅ１８はメチル基を表す。）であり、及び成分（ＩＩＩ）が式（Ｃ−１−ｄ）で表される化合物（式中、Ｒ６はメチル基を表す。）であるか、または式（Ｃ−２−ａ）で表される化合物（式中、Ｒ１３はメチル基を表す。）であるか、または式（Ｃ−５−ａ）で表される化合物（式中、Ｒ３０はメチル基を表す。）である請求項４記載の安定剤混合物。
【請求項１５】
光、熱又は酸化により誘発される分解を受けやすい有機材料及び請求項１記載の安定剤混合物を含む組成物。
【請求項１６】
前記有機材料が、合成ポリマーである請求項１５記載の組成物。
【請求項１７】
前記有機材料が、ポリオレフィンである請求項１５記載の組成物。
【請求項１８】
前記有機材料が、ポリエチレン、ポリプロピレン、ポリエチレンコポリマー、又はポリプロピレンコポリマーである請求項１５記載の組成物。
【請求項１９】
光、熱又は酸化により誘発される分解に対し有機材料を安定化させるための方法であって、請求項１記載の安定剤混合物を前記有機材料中へ配合することからなる方法。
【発明の詳細な説明】
【０００１】
【発明の属する技術分野】
本発明は、３個の特定の立体障害アミン化合物を含む安定剤混合物、光、熱又は酸化により誘発される分解に対し、有機材料を安定化させるための上記混合物の使用、及びそのようにして安定化された材料に関する。
【０００２】
立体障害アミンのブレンドを含む安定剤混合物は、例えばＵＳ−Ａ−４，６９２，４６８、ＵＳ−Ａ−４，８６３，９８１、ＵＳ−Ａ−５，７１９，２１７号、ＵＳ−Ａ−５，９１９，３９９、ＵＳ−Ａ−５，９６５，６４３、ＵＳ−Ａ−５，９７７，２２１、ＵＳ−Ａ−５，９８０，７８３、ＵＳ−Ａ−６，０１５，８４９、ＵＳ−Ａ−６，０２０，４０６、ＵＳ−Ａ−６，１７４，９４０、ＵＳ−Ａ−６，３０６，９３９、ＥＰ−Ａ−１，０３８，９１２、ＷＯ−Ａ−９８／５１６９０、ＷＯ−Ａ−９９／０２４９５、ＷＯ−Ａ−０１／９２３９２、及びＷＯ−Ａ−０１／９２３９８に記載されている。
【０００３】
本発明は特に、
成分（Ｉ）、（ＩＩ）及び（ＩＩＩ）を含む安定剤混合物に関し、
成分（Ｉ）は、式（Ｂ−１）、（Ｂ−２）、（Ｂ−４）、（Ｂ−５）、（Ｂ−７）、（Ｂ−８）、（Ｂ−９）または（Ｂ−１０）で表される化合物であり、
成分（ＩＩ）は、式（Ｂ−０）、（Ｂ−３）または（Ｂ−６）表される化合物であり、及び
成分（ＩＩＩ）は、式（Ｃ−１）、（Ｃ−２）、（Ｃ−３）、（Ｃ−４）または（Ｃ−５）で表される化合物か、または生成物（Ｃ−６）であり、
式（Ｂ−０）は
【化４６】
2004002808.tif 000002
（式中、Ｅ１＊はＥ１の意味の１つを有し、及び
Ｅ２＊は炭素原子数１ないし２５のアルキル基を表す。）であり；
式（Ｂ−１）は
【化４７】
2004002808.tif 000003
〔式中、Ｅ１は、水素原子、炭素原子数１ないし８のアルキル基、Ｏ・、−ＯＨ、−ＣＨ２ＣＮ、炭素原子数１ないし１８のアルコキシ基、炭素原子数５ないし１２のシクロアルコキシ基、炭素原子数３ないし６のアルケニル基、未置換の又は１、２又は３個の炭素原子数１ないし４のアルキル基によってフェニル基上を置換された炭素原子数７ないし９のフェニルアルキル基を表すか又は炭素原子数１ないし８のアシル基を表し、
ｍ１は、２又は４を表し、
もしもｍ１が２の場合、Ｅ２は炭素原子数１ないし１４のアルキレン基又は式（ｂ−１）
【化４８】
2004002808.tif 000004
（式中、Ｅ３は炭素原子数１ないし１０のアルキル基又は炭素原子数２ないし１０のアルケニル基を表し、Ｅ４は炭素原子数１ないし１０のアルキレン基を表し、そしてＥ５及びＥ６は、互いに独立して、炭素原子数１ないし４のアルキル基、シクロへキシル基、又はメチルシクロヘキシル基を表す。）の基を表し、及び
もしもｍ１が４の場合、Ｅ２は炭素原子数４ないし１０のアルカンテトライル基を表す。〕であり；
式（Ｂ−２）は
【化４９】
2004002808.tif 000005
〔式中、基Ｅ７の２つは−ＣＯＯ−（炭素原子数１ないし２０のアルキル基）を表し、又
基Ｅ７の２つは式（ｂ−ＩＩ）
【化５０】
2004002808.tif 000006
（式中、Ｅ８は前記Ｅ１の意味の１つを有する。）
の基を表す。〕であり；
式（Ｂ−３）は
【化５１】
2004002808.tif 000007
（式中、Ｅ９及びＥ１０は、一緒になって、炭素原子数２ないし１４のアルキレン基を形成し、
Ｅ１１は、水素原子又は基−Ｚ１−ＣＯＯ−Ｚ２を表し、
Ｚ１は、炭素原子数２ないし１４のアルキレン基を表し、
Ｚ２は、炭素原子数１ないし２４のアルキル基を表し、及び
Ｅ１２は、前記Ｅ１の意味の１つを有する。）であり；
式（Ｂ−４）は
【化５２】
2004002808.tif 000008
（式中、基Ｅ１３は、互いに独立して、前記Ｅ１の意味の１つを有し、
基Ｅ１４は、互いに独立して、水素原子又は炭素原子数１ないし１２のアルキル基を表し、及び
Ｅ１５は、炭素原子数１ないし１０のアルキレン基又は炭素原子数３ないし１０のアルキリデン基を表す。）であり；
式（Ｂ−５）は
【化５３】
2004002808.tif 000009
（式中、基Ｅ１６は、互いに独立して、前記Ｅ１の意味の１つを有する。）
であり；
式（Ｂ−６）は
【化５４】
2004002808.tif 000010
（式中、Ｅ１７は、炭素原子数１ないし２４のアルキル基、及び
Ｅ１８は、前記Ｅ１の意味の１つを有する。）であり；
式（Ｂ−７）は
【化５５】
2004002808.tif 000011
〔式中、Ｅ１９、Ｅ２０及びＥ２１は、互いに独立して、式（ｂ−ＩＩＩ）
【化５６】
2004002808.tif 000012
（式中、Ｅ２２は、前記Ｅ１の意味の１つを有する。）の基を表す。〕
であり；
式（Ｂ−８）は
【化５７】
2004002808.tif 000013
（式中、基Ｅ２３は、互いに独立して、前記Ｅ１の意味の１つを有し、
及び基Ｅ２４は、水素原子、炭素原子数１ないし１２のアルキル基又は、炭素原子数１ないし１２のアルコキシ基を表す。）であり；
式（Ｂ−９）は
【化５８】
2004002808.tif 000014
〔式中、ｍ２は、１、２又は３を表し、
Ｅ２５は、前記Ｅ１の意味の１つを有し、及び
ｍ２が１の場合は、Ｅ２６は基
【化５９】
2004002808.tif 000015
を表し、
ｍ２が２の場合は、Ｅ２６は炭素原子数２ないし２２のアルキレン基を表し、又
ｍ２が３の場合は、Ｅ２６は式（ｂ−ＩＶ）
【化６０】
2004002808.tif 000016
（式中、基Ｅ２７は、互いに独立して、炭素原子数２ないし１２のアルキレン基を表し、及び
基Ｅ２８は、互いに独立して、炭素原子数１ないし１２のアルキル基、又は炭素原子数５ないし１２のシクロアルキル基を表す。）の基を表す。〕であり；
式（Ｂ−１０）は
【化６１】
2004002808.tif 000017
［式中、基Ｅ２９は、互いに独立して、前記Ｅ１の意味の１つを有し、及び
Ｅ３０は、炭素原子数２ないし２２のアルキレン基、炭素原子数５ないし７のシクロアルキレン基、炭素原子数１ないし４のアルキレンジ（炭素原子数５ないし７のシクロアルキレン）基、フェニレン基又はフェニレンジ（炭素原子数１ないし４のアルキレン）基を表す。］であり；
式（Ｃ−１）は
【化６２】
2004002808.tif 000018
［式中、Ｒ１、Ｒ３、Ｒ４及びＲ５は、互いに独立して、水素原子、炭素原子数１ないし１２のアルキル基、炭素原子数５ないし１２のシクロアルキル基、炭素原子数１ないし４のアルキル基により置換された炭素原子数５ないし１２のシクロアルキル基、フェニル基、−ＯＨ及び／又は炭素原子数１ないし１０のアルキル基によって置換されたフェニル基、炭素原子数７ないし９のフェニルアルキル基、−ＯＨ及び／又は炭素原子数１ないし１０のアルキル基によってフェニル基上を置換された炭素原子数７ないし９のフェニルアルキル基、又は式（ｃ−Ｉ）
【化６３】
2004002808.tif 000019
の基を表し、
Ｒ２は、炭素原子数２ないし１８のアルキレン基、炭素原子数５ないし７のシクロアルキレン基、又は炭素原子数１ないし４のアルキレンジ（炭素原子数５ないし７のシクロアルキレン）基を表すか、又は
基Ｒ１、Ｒ２及びＲ３が、それらが結合する窒素原子と一緒になって、５−ないし１０−員複素環式環を形成するか、又は
Ｒ４及びＲ５が、それらが結合する窒素原子と一緒になって、５−ないし１０−員複素環式環を形成し、
Ｒ６は、水素原子、炭素原子数１ないし８のアルキル基、Ｏ・、−ＯＨ、−ＣＨ２ＣＮ、炭素原子数１ないし１８のアルコキシ基、炭素原子数５ないし１２のシクロアルコキシ基、炭素原子数３ないし６のアルケニル基、未置換の又は１、２又は３個の炭素原子数１ないし４のアルキル基によってフェニル基上を置換された炭素原子数７ないし９のフェニルアルキル基、又は炭素原子数１ないし８のアシル基を表し、及び
ｂ１は、２ないし５０の数を表すが、
但し、基Ｒ１、Ｒ３、Ｒ４及びＲ５の少なくとも１つは、式（ｃ−Ｉ）の基を表す。］であり；
式（Ｃ−２）は
【化６４】
2004002808.tif 000020
〔式中、Ｒ７及びＲ１１は、互いに独立して水素原子、又は炭素原子数１ないし１２のアルキル基を表し、
Ｒ８、Ｒ９及びＲ１０は、互いに独立して、炭素原子数２ないし１０のアルキレン基を表し、及び
Ｘ１、Ｘ２、Ｘ３、Ｘ４、Ｘ５、Ｘ６、Ｘ７、及びＸ８は、互いに独立して、式（ｃ−ＩＩ）
【化６５】
2004002808.tif 000021
（式中、Ｒ１２は、水素原子、炭素原子数１ないし１２のアルキル基、炭素原子数５ないし１２のシクロアルキル基、炭素原子数１ないし４のアルキル基により置換された炭素原子数５ないし１２のシクロアルキル基、フェニル基、−ＯＨ及び／又は炭素原子数１ないし１０のアルキル基により置換されたフェニル基、炭素原子数７ないし９のフェニルアルキル基、−ＯＨ及び／又は炭素原子数１ないし１０のアルキル基によってフェニル基上を置換された炭素原子数７ないし９のフェニルアルキル基、又は
上記で定義された式（ｃ−Ｉ）の基を表し、及び
Ｒ１３は、前記Ｒ６の意味の１つを有する。）を表す。〕であり；
式（Ｃ−３）は
【化６６】
2004002808.tif 000022
（式中、Ｒ１４は、炭素原子数１ないし１０のアルキル基、炭素原子数５ないし１２のシクロアルキル基、炭素原子数１ないし４のアルキル基により置換された炭素原子数５ないし１２のシクロアルキル基、フェニル基、又は炭素原子数１ないし１０のアルキル基により置換されたフェニル基を表し、
Ｒ１５は、炭素原子数３ないし１０のアルキレン基を表し、
Ｒ１６は、前記Ｒ６の意味の１つを有し、及び
ｂ２は、２ないし５０の数を表す。）
であり；
式（Ｃ−４）は
【化６７】
2004002808.tif 000023
〔式中、Ｒ１７及びＲ２１は、互いに独立して、直接結合、又は−Ｎ（Ｘ９）−ＣＯ−Ｘ１０−ＣＯ−Ｎ（Ｘ１１）−基（式中、Ｘ９及びＸ１１は、互いに独立して、水素原子、炭素原子数１ないし８のアルキル基、炭素原子数５ないし１２のシクロアルキル基、フェニル基、炭素原子数７ないし９のフェニルアルキル基、又は式（ｃ−Ｉ）の基を表し、
Ｘ１０は、直接結合、又は炭素原子数１ないし４のアルキレン基を表す。）を表し、Ｒ１８は、前記Ｒ６の意味の１つを有し、
Ｒ１９、Ｒ２０、Ｒ２３及びＲ２４は、互いに独立して、水素原子、炭素原子数１ないし３０のアルキル基、炭素原子数５ないし１２のシクロアルキル基、又はフェニル基を表し、
Ｒ２２は、水素原子、炭素原子数１ないし３０のアルキル基、炭素原子数５ないし１２のシクロアルキル基、フェニル基、炭素原子数７ないし９のフェニルアルキル基、又は式（ｃ−Ｉ）の基を表し、及び
ｂ３は１ないし５０の数を表す。〕であり；
式（Ｃ−５）は
【化６８】
2004002808.tif 000024
〔式中、Ｒ２５、Ｒ２６、Ｒ２７、Ｒ２８及びＲ２９は、互いに独立して、直接結合、又は、炭素原子数１ないし１０のアルキレン基を表し、
Ｒ３０は、前記Ｒ６の意味の１つを有し、及び
ｂ４は１ないし５０の数を表す。）であり；生成物（Ｃ−６）は
塩化シアヌルと式（Ｃ−６−１）
【化６９】
2004002808.tif 000025
（式中、ｂ’５、ｂ’’５及びｂ’’’５は、互いに独立して２ないし１２の数を表す。）で表されるポリアミンの反応によって得られる生成物を、式（Ｃ−６―２）
【化７０】
2004002808.tif 000026
（式中、Ｒ３１は、水素原子、炭素原子数１ないし１２のアルキル基、炭素原子数５ないし１２のシクロアルキル基、フェニル基、又は炭素原子数７ないし９のフェニルアルキル基を表し、及びＲ３２は、前記Ｒ６の意味の１つを有する。）
で表される化合物と反応させることによって得られ得る生成物である安定剤混合物である。
【０００４】
３０個までの炭素原子を有するアルキル基の例は、メチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基、オクタデシル基、エイコシル基、ドコシル基およびトリアコンチル基である。Ｅ１、Ｅ１＊、Ｅ８、Ｅ１２、Ｅ１３、Ｅ１６、Ｅ１８、Ｅ２２、Ｅ２３、Ｅ２５、Ｅ２９、Ｒ６、Ｒ１３、Ｒ１６、Ｒ１８、Ｒ３０及びＲ３２の好ましい定義の一つは、炭素原子数１ないし４のアルキル基、特にメチル基である。Ｒ３１は、好ましくはブチル基である。
【０００５】
１８個までの炭素原子を有するアルコキシ基の例は、メトキシ基、エトキシ基、プロポキシ基、イソプロポキシ基、ブトキシ基、イソブトキシ基、ペントキシ基、イソペントキシ基、ヘキソキシ基、ヘプトキシ基、オクトキシ基、デシルオキシ基、ドデシルオキシ基、テトラデシルオキシ基、ヘキサデシルオキシ基およびオクタデシルオキシ基である。Ｅ１の好ましい意味の一つはオクトキシ基である。Ｅ２４は、好ましくは炭素原子数１ないし４のアルコキシ基を表わし、そしてＲ６の好ましい意味の一つはプロポキシ基である。
【０００６】
炭素原子数５ないし１２のシクロアルキル基の例は、シクロペンチル基、シクロヘキシル基、シクロヘプチル基、シクロオクチル基およびシクロドデシル基である。炭素原子数５ないし８のシクロアルキル基、特にシクロヘキシル基が好ましい。
【０００７】
炭素原子数１ないし４のアルキル基で置換された炭素原子数５ないし１２のシクロアルキル基の例は、例えばメチルシクロヘキシル基またはジメチルシクロヘキシル基である。
【０００８】
炭素原子数５ないし１２のシクロアルコキシ基の例は、シクロペントキシ基、シクロヘキソキシ基、シクロヘプトキシ基、シクロオクトキシ基、シクロデシルオキシ基およびシクロドデシルオキシ基である。炭素原子数５ないし８のシクロアルコキシ基、特にシクロペントキシ基およびシクロヘキソキシ基が好ましい。
【０００９】
−ＯＨ−および／または炭素原子数１ないし１０のアルキル−置換されたフェニル基は、例えばメチルフェニル基、ジメチルフェニル基、トリメチルフェニル基、第三ブチルフェニル基または３，５−ジ−第三ブチル−４−ヒドロキシフェニル基である。
【００１０】
炭素原子数７ないし９のフェニルアルキル基の例は、ベンジル基およびフェニルエチル基である。
【００１１】
フェニル基上で−ＯＨにより、及び／または１０個までの炭素原子を有するアルキル基により置換された炭素原子数７ないし９のフェニルアルキル基は、例えばメチルベンジル基、ジメチルベンジル基、トリメチルベンジル基、第三ブチルベンジル基または３，５−ジ−第三ブチル−４−ヒドロキシベンジル基である。
【００１２】
１０個までの炭素原子を有するアルケニル基の例は、アリル基、２−メタリル基、ブテニル基、ペンテニル基およびヘキセニル基である。アリル基が好ましい。１位の炭素原子は、好ましくは飽和である。
【００１３】
８個より多くない炭素原子を有するアシル基の例は、ホルミル基、アセチル基、プロピオニル基、ブチリル基、ペンタノイル基、ヘキサノイル基、ヘプタノイル基、オクタノイル基、アクリロイル基、メタクリロイル基およびベンゾイル基である。炭素原子数１ないし８のアルカノイル基、炭素原子数３ないし８のアルケニル基およびベンゾイル基が好ましい。アセチル基およびアクリロイル基は特に好ましい。
【００１４】
２２個までの炭素原子を有するアルキレン基の例は、メチレン基、エチレン基、プロピレン基、トリメチレン基、テトラメチレン基、ペンタメチレン基、２，２−ジメチルトリメチレン基、ヘキサメチレン基、トリメチルヘキサメチレン基、オクタメチレン基およびデカメチレン基である。
【００１５】
炭素原子数３ないし１０のアルキリデン基の例は、次式
【化７１】
2004002808.tif 000027
で表わされる基である。
【００１６】
炭素原子数４ないし１０のアルカンテトライル基の例は、１，２，３，４−ブタンテトライル基である。
【００１７】
炭素原子数５ないし７のシクロアルキレン基の例は、シクロヘキシレン基である。
【００１８】
炭素原子数１ないし４のアルキレンジ（炭素原子数５ないし７のシクロアルキレン）基の例は、メチレンジシクロヘキシレン基である。
【００１９】
フェニレンジ（炭素原子数１ないし４のアルキレン）基の例は、メチレン−フェニレン−メチレン基またはエチレン−フェニレン−エチレン基である。
【００２０】
基Ｒ１、Ｒ２およびＲ３が、それらが結合している窒素原子と一緒になって５−ないし１０−員複素環を形成する場合、この環は例えば
【化７２】
2004002808.tif 000028
を表す。６−員複素環が好ましい。
【００２１】
基Ｒ４およびＲ５が、それらが結合している窒素原子と一緒になって５ないし１０員複素環を形成する場合、この環は例えば１−ピロリジル基、ピペリジノ基、モルホリノ基、１−ピペラジニル基、４−メチル−１−ピペラジニル基、１−ヘキサヒドロアゼピニル基、５，５，７−トリメチル−１−ホモピペラジニル基または４，５，５，７−テトラメチル−１−ホモピペラジニル基を表わす。モルホリノ基が特に好ましい。
【００２２】
Ｒ１９およびＲ２３の好ましい定義の一つはフェニル基である。
【００２３】
Ｒ２６は、好ましくは直接結合である。
【００２４】
ｎ１、ｎ２、ｎ３＊およびｎ４は、好ましくは２ないし２５、特に２ないし２０の数である。ｎ３は好ましくは１ないし２５、特に１ないし２０の数である。
【００２５】
ｂ１およびｂ２は、好ましくは２ないし２５、特に２ないし２０の数である。
【００２６】
ｂ３およびｂ４は、好ましくは１ないし２５、特に１ないし２０、または２ないし２０の数である。
【００２７】
ｂ’５およびｂ’’’５は、好ましくは３であり、そしてｂ’’５は好ましくは２である。
【００２８】
成分（Ｉ）、（ＩＩ）及び（ＩＩＩ）として上記された化合物は本質的に既知であり、そして市販品として入手可能である。それらの全ては既知の方法により製造され得る。
【００２９】
成分（Ｉ）及び（ＩＩ）の化合物の製造方法は、例えば、ＵＳ−Ａ−５，６７９，７３３、ＵＳ−Ａ−３，６４０，９２８、ＵＳ−Ａ−４，１９８，３３４、ＵＳ−Ａ−５，２０４，４７３、ＵＳ−Ａ−４，６１９，９５８、ＵＳ−Ａ−４，１１０，３０６、ＵＳ−Ａ−４，１１０，３３４、ＵＳ−Ａ−４，６８９，４１６、ＵＳ−Ａ−４，４０８，０５１、ＳＵ−Ａ−７６８，１７５（Ｄｅｒｗｅｎｔ８８−１３８，７５１／２０）、ＵＳ−Ａ−５，０４９，６０４、ＵＳ−Ａ−４，７６９，４５７、ＵＳ−Ａ−４，３５６，３０７、ＵＳ−Ａ−４，６１９，９５６、ＵＳ−Ａ−５，１８２，３９０、ＧＢ−Ａ−２，２６９，８１９、ＵＳ−Ａ−４，２９２，２４０、ＵＳ−Ａ−５，０２６，８４９、ＵＳ−Ａ−５，０７１，９８１、ＵＳ−Ａ−４，５４７，５３８及びＵＳ−Ａ−４，９７６，８８９に記載されている。
【００３０】
成分（ＩＩＩ）の化合物の製造方法は、例えば，ＵＳ−Ａ−４，０８６，２０４、ＵＳ−Ａ−６，０４６，３０４、ＵＳ−Ａ−４，３３１，５８６、ＵＳ−Ａ−４，１０８，８２９、ＵＳ−Ａ−５，０５１，４５８、ＷＯ−Ａ−９４／１２，５４４（Ｄｅｒｗｅｎｔ　９４−１７７，２７４／２２）、ＤＤ−Ａ−２６２，４３９（Ｄｅｒｗｅｎｔ　８９−１２２，９８３／１７）、ＵＳ−Ａ−４，８５７，５９５、ＵＳ−Ａ−４，５２９，７６０及びＵＳ−Ａ−４，４７７，６１５、及びＣＡＳ１３６，５０４−９６−６に記載されている。
【００３１】
生成物（Ｃ−６）は公知の方法と同様に、例えば式（Ｃ−６−１）で表わされるポリアミンを塩化シアヌルとモル比１：２ないし１：４で、無水炭酸リチウム、炭酸ナトリウムまたは炭酸カリウムの存在下、１，２−ジクロロエタン、トルエン、キシレン、ベンゼン、ジオキサンまたは第三アミルアルコールのような有機溶媒中で、−２０℃ないし＋１０℃、好ましくは−１０℃ないし＋１０℃、特に０ないし＋１０℃の温度で、２ないし８時間反応させ、続いて得られた生成物を式（Ｃ−６−２）で表わされる２，２，６，６−テトラメチル−４−ピペリジルアミンと反応させることにより製造され得る。使用される２，２，６，６−テトラメチル−４−ピペリジルアミンと式（Ｂ−６−１）で表わされるポリアミンのモル比は、例えば４：１ないし８：１である。２，２，６，６−テトラメチル−４−ピペリジルアミンの分量は、一部で、または一より多い部で数時間の間隔ごとに添加されてもよい。
【００３２】
式（Ｃ−６−１）で表わされるポリアミンと塩化シアヌルと式（Ｃ−６−２）で表わされる２，２，６，６−テトラメチル−４−ピペリジルアミンのモル比は、好ましくは１：３：５ないし１：３：６である。
【００３３】
以下に、好ましい生成物（Ｃ−６−ａ）の製造方法の例の１つを示す。
実施例：塩化シアヌル２３．６ｇ（０．１２８モル）、Ｎ，Ｎ’−ビス［３−アミノプロピル］エチレンジアミン７．４３ｇ（０．０４２６モル）および無水炭酸カリウム１８ｇ（０．１３モル）を５℃で３時間、１，２−ジクロロエタン２５０ｍＬ中で撹拌しながら反応させる。更に４時間かけて、混合物を室温で保温する。Ｎ−（２，２，６，６−テトラメチル−４−ピペリジル）ブチルアミン２７．２ｇ（０．１２８モル）を添加し、そして得られた混合物を６０℃で２時間加熱する。更に無水炭酸カリウム１８ｇ（０．１３モル）を添加し、そして混合物を更に６時間６０℃で加熱する。わずかに真空（２００ミリバール）下で蒸留することにより溶媒を除去し、そしてキシレンで置換する。Ｎ−（２，２，６，６−テトラメチル−４−ピペリジル）ブチルアミン１８．２ｇ（０．０８５モル）および粉砕水酸化ナトリウム５．２ｇ（０．１３モル）を添加し、混合物を還流下で２時間加熱し、そして更に１２時間加熱し、反応の間に生成された水を共沸蒸留により除去する。混合物をろ過する。溶液を水で洗浄し、そしてＮａ２ＳＯ４上で乾燥させる。溶媒をエバポレーションし、そして残渣を１２０ないし１３０℃、真空（０．１ミリバール）下で乾燥させる。望ましい生成物は無色樹脂として得られる。
【００３４】
一般的に、生成物（Ｃ−６）は例えば、次式（Ｃ−６−α）、（Ｃ−６−β）又は（Ｃ−６−γ）
【化７３】
2004002808.tif 000029
で表わされる化合物により表わされ得る。また、これら３つの化合物の混合物の形態であってもよい。
【００３５】
式（Ｃ−６−α）の好ましい意味は
【化７４】
2004002808.tif 000030
である。
【００３６】
式（Ｃ−６−β）の好ましい意味は
【化７５】
2004002808.tif 000031
である。
【００３７】
式（Ｃ−６−γ）の好ましい意味は
【化７６】
2004002808.tif 000032
である。
【００３８】
上記の式（Ｃ−６−α）ないし（Ｃ−６−γ）及び（Ｃ−６−α−Ｉ）ないし（Ｃ−６−γ−Ｉ）において、ｂ５は好ましくは２ないし２０、特に２ないし１０である。
【００３９】
成分（Ｉ）は、好ましくは、チヌビン　７７０　（登録商標：ＴＩＮＵＶＩＮ　７７０）、チヌビン　７６５　（登録商標：ＴＩＮＵＶＩＮ　７６５）、チヌビン　１４４（登録商標：ＴＩＮＵＶＩＮ　１４４）、チヌビン　１２３（登録商標：ＴＩＮＵＶＩＮ　１２３）、ＡＤＫ　スタブ　ＬＡ　５２（登録商標：ＡＤＫ　ＳＴＡＢ　ＬＡ　５２）、ＡＤＫ　スタブ　ＬＡ　５７（登録商標：ＡＤＫ　ＳＴＡＢ　ＬＡ　５７）、ＡＤＫ　スタブ　ＬＡ　６２（登録商標：ＡＤＫ　ＳＴＡＢ　ＬＡ　６２）、ＡＤＫ　スタブ　ＬＡ　６７（登録商標：ＡＤＫ　ＳＴＡＢＬＡ　６７）、ジアセタム　５（登録商標：ＤＩＡＣＥＴＡＭ　５）、スミソルブ　ＴＭ　６１（登録商標：ＳＵＭＩＳＯＲＢ　ＴＭ　６１）、ユビヌル　４０４９（登録商標：ＵＶＩＮＵＬ　４０４９）、サンデュボア　ＰＲ　３１（登録商標：ＳＡＮＤＵＶＯＲ　ＰＲ３１）、グッドライト　ＵＶ　３０３４　（登録商標：ＧＯＯＤＲＩＴＥ　ＵＶ　３０３４）、グッドライト　ＵＶ　３１５０（登録商標：ＧＯＯＤＲＩＴＥ　ＵＶ　３１５０）、グッドライト　ＵＶ　３１５９（登録商標：ＧＯＯＤＲＩＴＥ　ＵＶ　３１５９）、グッドライト　３１１０×１２８　（登録商標：ＧＯＯＤＲＩＴＥ　３１１０×１２８）、又はユビヌル　４０５０　Ｈ（登録商標：ＵＶＩＮＵＬ　４０５０　Ｈ）であり、特にチヌビン　７７０　（登録商標：ＴＩＮＵＶＩＮ　７７０）、チヌビン　７６５　（登録商標：ＴＩＮＵＶＩＮ　７６５）、チヌビン　１４４（登録商標：ＴＩＮＵＶＩＮ　１４４）、チヌビン　１２３（登録商標：ＴＩＮＵＶＩＮ　１２３）、ジアセタム　５（登録商標：ＤＩＡＣＥＴＡＭ　５）、スミソルブ　ＴＭ　６１（登録商標：ＳＵＭＩＳＯＲＢＴＭ　６１）、ユビヌル　４０４９（登録商標：ＵＶＩＮＵＬ　４０４９）、サンデュボア　ＰＲ　３１（登録商標：ＳＡＮＤＵＶＯＲ　ＰＲ３１）、グッドライト　ＵＶ　３０３４　（登録商標：ＧＯＯＤＲＩＴＥ　ＵＶ　３０３４）　、又はユビヌル　４０５０　Ｈ（登録商標：ＵＶＩＮＵＬ　４０５０　Ｈ）である。
【００４０】
成分（ＩＩ）は、好ましくはリコビン　８４５（登録商標：ＬＩＣＯＶＩＮ　８４５）（＝Ｃｈｅｍｉｃａｌ　Ａｂｓｔｒａｃｔｓ　Ｒｅｇｉｓｔｒｙ　Ｎｏ．８６４０３−３２−９）、ホスタビン　Ｎ　２０（登録商標：ＨＯＳＴＡＶＩＮ　Ｎ　２０）、ホスタビン　Ｎ　２４（登録商標：ＨＯＳＴＡＶＩＮ　Ｎ　２４）またはサンデュボア　３０５０（登録商標：ＳＡＮＤＵＶＯＲ　３０５０）である。
【００４１】
成分（ＩＩＩ）は、好ましくはチマソルブ　９４４（登録商標：ＣＨＩＭＡＳＳＯＲＢ　９４４）、チマソルブ　２０２０（登録商標：ＣＨＩＭＡＳＳＯＲＢ　２０２０）、シアソルブ　ＵＶ　３３４６（登録商標：ＣＹＡＳＯＲＢ　ＵＶ　３３４６）、シアソルブ　ＵＶ　３５２９（登録商標：ＣＹＡＳＯＲＢ　ＵＶ　３５２９）、ダスチブ　１０８２（登録商標：ＤＡＳＴＩＢ　１０８２）、チマソルブ１１９（登録商標：ＣＨＩＭＡＳＳＯＲＢ　１１９）、ユバシル　２９９（登録商標：ＵＶＡＳＩＬ　２９９）、ユバシル　１２５（登録商標：ＵＶＡＳＩＬ　１２５）、ユバシル　２０００（登録商標：ＵＶＡＳＩＬ　２０００）、ユビヌル　５０５０　Ｈ（登録商標：ＵＶＩＮＵＬ　５０５０　Ｈ）、リヒツフツシュトフ　ＵＶ　３１　（登録商標：ＬＩＣＨＴＳＣＨＵＴＺＳＴＯＦＦ　ＵＶ　３１）、ルケム　ＨＡ　Ｂ　１８（登録商標：ＬＵＣＨＥＭ　ＨＡ　Ｂ　１８）、ＡＤＫ　ＳＡＴＢ　ＬＡ　６３（登録商標：ＡＤＫ　ＳＡＴＢ　ＬＡ　６３）、ＡＤＫ　ＳＡＴＢ　ＬＡ　６８（登録商標：ＡＤＫ　ＳＡＴＢ　ＬＡ　６８）、又はユバソルブ
ＨＡ　８８（登録商標：ユバソルブ　ＨＡ　８８）である。
【００４２】
式（Ｃ−１）、（Ｃ−３）、（Ｃ−４）、（Ｃ−５）、（Ｃ−６−α）、（Ｃ−６−β）、及び（Ｃ−６−γ）の化合物における遊離原子価を飽和する末端基の意味は、それらの製造に使用された方法に依存する。また末端基は、化合物の製造後にも変性され得る
【００４３】
式（Ｃ−１）で表わされる化合物が次式
【化７７】
2004002808.tif 000033
（式中、Ｘは例えばハロゲン原子、特に塩素原子を表わし、そしてＲ４およびＲ５は上記で定義された通りである。）で表わされる化合物を次式
【化７８】
2004002808.tif 000034
（式中、Ｒ１、Ｒ２およびＲ３は上記で定義された通りである。）で表わされる化合物と反応させることにより製造される場合、ジアミノ基に結合している末端基は水素原子又は
【化７９】
2004002808.tif 000035
であり、そしてトリアジン基に結合している末端基はＸまたは
【化８０】
2004002808.tif 000036
である。
Ｘがハロゲン原子である場合、反応終了時、これを例えば−ＯＨまたはアミノ基により置換することは有利である。言及されてよいアミノ基の例は、ピロリジン−１−イル基、モルホリノ基、−ＮＨ２、−Ｎ（炭素原子数１ないし８のアルキル）２基および−ＮＲ（炭素原子数１ないし８のアルキル）基（式中、Ｒは水素原子または式（ｃ−Ｉ）で表わされる基を表わす。）である。
【００４４】
式（Ｃ−１）で表わされる化合物はまた、次式
【化８１】
2004002808.tif 000037
（式中、Ｒ１、Ｒ２、Ｒ３、Ｒ４、Ｒ５およびｂ１は上記で定義された通りであり、そしてＲ４＊はＲ４の意味の一つを有し、そしてＲ５＊はＲ５の意味の一つを有する。）で表わされる化合物も包括する。
【００４５】
特に好ましい式（Ｃ−１）で表わされる化合物の一つは次式
【化８２】
2004002808.tif 000038
で表わされる。
【００４６】
この化合物の製造方は例えばＵＳ−Ａ−６，０４６，３０４に記載されている。
【００４７】
式（Ｃ−３）で表わされる化合物において、ケイ素原子に結合している末端基は例えば（Ｒ１４）３Ｓｉ−Ｏ−であり得、そして酸素原子に結合している末端基は例えば−Ｓｉ（Ｒ１４）３であり得る。
【００４８】
ｂ２が３ないし１０の数であり、すなわち構造式中に示された遊離原子価が直接結合を形成する場合、式（Ｃ−３）で表わされる化合物はまた、環式化合物の形状であってもよい。
【００４９】
式（Ｃ−４）で表わされる化合物において、２，５−ジオキソピロリジン環に結合している末端基は例えば水素原子であり、そして−Ｃ（Ｒ２３）（Ｒ２４）−基に結合している末端基は例えば
【化８３】
2004002808.tif 000039
である。
【００５０】
式（Ｃ−５）で表される化合物において、カルボニル基に結合している末端基は例えば
【化８４】
2004002808.tif 000040
であり、そして酸素原子基に結合している末端基は例えば
【化８５】
2004002808.tif 000041
である。
【００５１】
式（Ｃ−６−α）、（Ｃ−６−β）および（Ｃ−６−γ）で表される化合物において、トリアジン基に結合している末端基は例えばＣｌまたは
【化８６】
2004002808.tif 000042
基であり、そしてアミノ基に結合している末端基は例えば水素原子または
【化８７】
2004002808.tif 000043
基である。
【００５２】
Ｅ１、Ｅ１＊、Ｅ８、Ｅ１２、Ｅ１３、Ｅ１６、Ｅ１８、Ｅ２２、Ｅ２３、Ｅ２５、及びＥ２９は、好ましくは水素原子、炭素原子数１ないし４のアルキル基、炭素原子数１ないし１０のアルコキシ基、シクロヘキシルオキシ基、アリル基、ベンジル基又はアセチル基である。
【００５３】
Ｒ６、Ｒ１３、Ｒ１６、Ｒ１８、Ｒ３０及びＲ３２は、好ましくは水素原子、炭素原子数１ないし４のアルキル基、炭素原子数１ないし１０のアルコキシ基、シクロヘキシルオキシ基、アリル基、ベンジル基又はアセチル基である。
【００５４】
Ｅ１、Ｅ１＊、Ｅ８、Ｅ１２、Ｅ１３、Ｅ１６、Ｅ１８、Ｅ２２、Ｅ２３、Ｅ２５、Ｅ２９、Ｒ６、Ｒ１３、Ｒ１６、Ｒ１８、Ｒ３０及びＲ３２は、特に水素原子又はメチル基であり、そしてＥ１及びＲ６が更に、炭素原子数１ないし８のアルコキシ基である。
【００５５】
好ましい態様に従って、
ｍ１は、２又は４を表し、
Ｅ２＊は、炭素原子数１２ないし２０のアルキル基を表し、
もしもｍ１が２の場合、Ｅ２は、炭素原子数２ないし１０のアルキレン基、又は式（ｂ−１）の基を表し、
Ｅ３は、炭素原子数１ないし４のアルキル基を表し、
Ｅ４は、炭素原子数１ないし６のアルキレン基を表し、及び
Ｅ５及びＥ６は互いに独立して、炭素原子数１ないし４のアルキル基を表し、又
もしもｍ１が４の場合、Ｅ２は、炭素原子数４ないし８のアルカンテトライル基を表し、
基Ｅ７の２つは、−ＣＯＯ−（炭素原子数１０ないし１５のアルキル基）を表し、又基Ｅ７の２つは、式（ｂ−ＩＩ）の基を表し、
Ｅ９及びＥ１０は、一緒になって、炭素原子数９ないし１３のアルキレン基を形成し、
Ｅ１１は、水素原子、又は基−Ｚ１−ＣＯＯ−Ｚ２を表し、
Ｚ１は、炭素原子数２ないし６のアルキレン基を表し、及び
Ｚ２は、炭素原子数１０ないし１６のアルキル基を表し、
Ｅ１４は、水素原子を表し、及び
Ｅ１５は、炭素原子数２ないし６のアルキレン基、又は炭素原子数３ないし５のアルキリデン基を表し、
Ｅ１７は、炭素原子数１０ないし１４のアルキル基を表し、
Ｅ２４は、炭素原子数１ないし４のアルコキシ基を表し、
ｍ２は、１、２又は３を表し、
ｍ２が１の場合、Ｅ２６は、基
【化８８】
2004002808.tif 000044
を表し、
ｍ２が２の場合、Ｅ２６は、炭素原子数２ないし６のアルキレン基を表し、そしてｍ２が３の場合、Ｅ２６は、式（ｂ−ＩＶ）の基を表し、
基Ｅ２７は、互いに独立して、炭素原子数２ないし６のアルキレン基を表し、及び、
基Ｅ２８は、互いに独立して、炭素原子数１ないし４のアルキル基、又は炭素原子数５ないし８のシクロアルキル基を表し、及び
Ｅ３０は、炭素原子数２ないし８のアルキレン基を表す。
【００５６】
他の好ましい態様に従って、
Ｒ１及びＲ３は、互いに独立して、式（ｃ−Ｉ）の基を表し、
Ｒ２は、炭素原子数２ないし８のアルキレン基を表し、
Ｒ４及びＲ５は、互いに独立して、水素原子、炭素原子数１ないし１２のアルキル基、炭素原子数５ないし８のシクロアルキル基、又は式（ｃ−Ｉ）の基を表すか、又は基Ｒ４及びＲ５が、それらが結合する窒素原子と一緒になって、５−ないし１０−員複素環式環を形成し、及び
ｂ１は、２ないし２５の数を表し、
Ｒ７及びＲ１１は、互いに独立して、水素原子、又は炭素原子１ないし４のアルキル基を表し、
Ｒ８、Ｒ９及びＲ１０は、互いに独立して、炭素原子数２ないし４のアルキレン基を表し、及び
Ｘ１、Ｘ２、Ｘ３、Ｘ４、Ｘ５、Ｘ６、Ｘ７、及びＸ８は、互いに独立して、式（ｃ−ＩＩ）の基を表し、
Ｒ１２は、水素原子、炭素原子数１ないし４のアルキル基、炭素原子数５ないし８のシクロアルキル基、又は、式（ｃ−Ｉ）の基を表し、
Ｒ１４は、炭素原子数１ないし４のアルキル基を表し、
Ｒ１５は、炭素原子数３ないし６のアルキレン基を表し、及び
ｂ２は、２ないし２５の数を表し、
Ｒ１７及びＲ２１は、互いに独立して、直接結合、又は基−Ｎ（Ｘ９）−ＣＯ−Ｘ１０−ＣＯ−Ｎ（Ｘ１１）−を表し、
Ｘ９及びＸ１１は、互いに独立して、水素原子または炭素原子数１ないし４のアルキル基を表し、
Ｘ１０は、直接結合を表し、
Ｒ１９及びＲ２３は、炭素原子数１ないし２５のアルキル基又はフェニル基を表し、Ｒ２０及びＲ２４は、水素原子、又は炭素原子数１ないし４のアルキル基を表し、
Ｒ２２は、炭素原子数１ないし２５のアルキル基、又は式（ｃ−Ｉ）の基を表し、及び
ｂ３は、１ないし２５の数を表し、
Ｒ２５、Ｒ２６、Ｒ２７、Ｒ２８及びＲ２９は、互いに独立して、直接結合、又は炭素原子数１ないし４のアルキレン基を表し及び、
ｂ４は、１ないし２５の数を表し、
ｂ’５、ｂ’’５及びｂ’’’５は、互いに独立して２ないし４の数を表し、及び
Ｒ３１は、水素原子、炭素原子数１ないし４のアルキル基、炭素原子数５ないし８のシクロアルキル基、フェニル基、又はベンジル基を表す。
【００５７】
特に好ましい態様に従って、
成分（Ｉ）が式（Ｂ−１−ｂ）、（Ｂ−１−ｃ）、（Ｂ−１−ｄ）、（Ｂ−２−ａ）、（Ｂ−４−ａ）、（Ｂ−４−ｂ）、（Ｂ−５）、（Ｂ−７）、（Ｂ−８−ａ）、（Ｂ−９−ａ）、（Ｂ−９−ｂ）、（Ｂ−９−ｃ）又は（Ｂ−１０−ａ）で表される化合物：
成分（ＩＩ）が式（Ｂ−０−ａ）、（Ｂ−３−ａ）、（Ｂ−３−ｂ）又は（Ｂ−６−ａ）で表される化合物：及び
成分（ＩＩＩ）が式（Ｃ−１−ａ）、（Ｃ−１−ｂ）、（Ｃ−１−ｃ）、（Ｃ−１−ｄ）、（Ｃ−２−ａ）、（Ｃ−３−ａ）、（Ｃ−４−ａ）、（Ｃ−４−ｂ）、（Ｃ−４−ｃ）又は（Ｃ−５−ａ）で表される化合物、または生成物（Ｃ−６−ａ）であり：
上記化合物は、
【化８９】
2004002808.tif 000045
（上記各式中、Ｅ１及びＥ１＊は、水素原子、炭素原子数１ないし８のアルキル基、Ｏ・、−ＯＨ、−ＣＨ２ＣＮ、炭素原子数１ないし１８のアルコキシ基、炭素原子数５ないし１２のシクロアルコキシ基、炭素原子数３ないし６のアルケニル基、未置換の又は１、２又は３個の炭素原子数１ないし４のアルキル基によってフェニル基上を置換された炭素原子数７ないし９のフェニルアルキル基、又は炭素原子数１ないし８のアシル基を表す。）；
【化９０】
2004002808.tif 000046
（式中、基Ｅ７の２つは、−ＣＯＯ−Ｃ１３Ｈ２７を表し、及び
基Ｅ７の２つは、
【化９１】
2004002808.tif 000047
を表し、及びＥ８は、前記Ｅ１の意味の１つを有する。）；
【化９２】
2004002808.tif 000048
（上記各式中、Ｅ１２は、前記Ｅ１の意味の１つを有する。）；
【化９３】
2004002808.tif 000049
（上記各式中、Ｅ１３は、前記Ｅ１の意味の１つを有する。）；
【化９４】
2004002808.tif 000050
（式中、Ｅ１６は、前記Ｅ１の意味の１つを有する。）；
【化９５】
2004002808.tif 000051
（式中、Ｅ１８は、前記Ｅ１の意味の１つを有する。）；
【化９６】
2004002808.tif 000052
〔式中、Ｅ１９、Ｅ２０及びＥ２１は、互いに独立して、式（ｂ−ＩＩＩ）
【化９７】
2004002808.tif 000053
（式中、Ｅ２２は、前記Ｅ１の意味の１つを有する。）の基を表す。〕；
【化９８】
2004002808.tif 000054
（式中、Ｅ２３は、前記Ｅ１の意味の１つを有する。）；
【化９９】
2004002808.tif 000055
（上記各式中、Ｅ２５は、前記Ｅ１の意味の１つを有する。）；
【化１００】
2004002808.tif 000056
（式中、Ｅ２９は、前記Ｅ１の意味の１つを有する）；
【化１０１】
2004002808.tif 000057
（上記各式中、ｂ１は、２ないし２０の数を表し、及びＲ６は、水素原子、炭素原子数１ないし８のアルキル基、Ｏ・、−ＯＨ、−ＣＨ２ＣＮ、炭素原子数１ないし１８のアルコキシ基、炭素原子数５ないし１２のシクロアルコキシ基、炭素原子数３ないし６のアルケニル基、未置換の又は１、２又は３個の炭素原子数１ないし４のアルキル基によってフェニル基上を置換された炭素原子数７ないし９のフェニルアルキル基、又は炭素原子数１ないし８のアシル基を表す。）；
【化１０２】
2004002808.tif 000058
（式中、Ｒ１３は前記Ｒ６の意味の１つを有する。）；
【化１０３】
2004002808.tif 000059
（式中、ｂ２は、２ないし２０の数を表し、及びＲ１６は、前記Ｒ６の意味の１つを有する。）；
【化１０４】
2004002808.tif 000060
（上記各式中、ｂ３は、１ないし２０の数を表し、及びＲ１８は、前記Ｒ６の意味の１つを有する。）；
【化１０５】
2004002808.tif 000061
（式中、ｂ４は、１ないし２０の数を表し、及びＲ３０は、前記Ｒ６の意味の１つを有する。）で表される化合物であり；生成物（Ｃ−６−ａ）は、
塩化シアヌルと式（Ｃ−６−１−ａ）
【化１０６】
2004002808.tif 000062
で表されるポリアミンの反応によって得られる生成物を式（Ｃ−６―２−ａ）
【化１０７】
2004002808.tif 000063
（式中、Ｒ３２は、前記Ｒ６の意味の１つを有する。）
で表される化合物と反応させることによって得られ得る生成物である。
【００５８】
成分（ＩＩ）は、好ましくは式（Ｂ−０）である化合物を表す。
【００５９】
興味深い安定剤混合物は、
成分（Ｉ）が式（Ｂ−１）、（Ｂ−４）、（Ｂ−５）、（Ｂ−８）、（Ｂ−９）または（Ｂ−１０）で表される化合物であり、
成分（ＩＩ）が式（Ｂ−０）、（Ｂ−３）または（Ｂ−６）で表される化合物であり、及び
成分（ＩＩＩ）が式（Ｃ−１）、（Ｃ−２）、（Ｃ−３）、（Ｃ−４）または（Ｃ−５）で表される化合物であるか、または生成物（Ｃ−６）のものである。
【００６０】
特に興味深い安定剤混合物は、
成分（Ｉ）が式（Ｂ−１−ｂ）、（Ｂ−１−ｃ）、（Ｂ−４−ａ）、（Ｂ−４−ｂ）、（Ｂ−５）、（Ｂ−８−ａ）、（Ｂ−９−ｂ）または（Ｂ−１０−ａ）で表される化合物であり、
成分（ＩＩ）が式（Ｂ−０−ａ）、（Ｂ−３−ａ）、（Ｂ−３−ｂ）または（Ｂ−６−ａ）で表される化合物であり、及び
成分（ＩＩＩ）が式（Ｃ−１−ａ）、（Ｃ−１−ｂ）、（Ｃ−１−ｃ）、（Ｃ−１−ｄ）、（Ｃ−２−ａ）、（Ｃ−３−ａ）、（Ｃ−４−ａ）、（Ｃ−４−ｂ）、（Ｃ−４−ｃ）、または（Ｃ−５−ａ）で表される化合物であるか、または生成物（Ｃ−６−ａ）のものである。
【００６１】
更なる特に好ましい態様は、以下の安定剤混合物に関する：
・成分（Ｉ）が式（Ｂ−１−ｂ）で表される化合物（式中、Ｅ１は水素原子またはメチル基を表す。）であり、及び成分（ＩＩ）が式（Ｂ−０−ａ）で表される化合物（式中、Ｅ１＊は水素原子を表す。）である安定剤混合物。
・成分（Ｉ）が式（Ｂ−１−ｂ）で表される化合物（式中、Ｅ１は水素原子またはメチル基を表す。）であり、成分（ＩＩ）が式（Ｂ−０−ａ）で表される化合物（式中、Ｅ１＊は水素原子を表す。）であり、及び成分（ＩＩＩ）が式（Ｃ−１−ａ）、（Ｃ−１−ｂ）または（Ｃ−１−ｄ）で表される化合物（式中、Ｒ６は水素原子またはメチル基を表す。）である安定剤混合物。
・成分（Ｉ）が式（Ｂ−１−ｂ）で表される化合物（式中、Ｅ１は水素原子を表す。）であり、成分（ＩＩ）が式（Ｂ−０−ａ）で表される化合物（式中、Ｅ１＊は水素原子を表す。）であり、及び成分（ＩＩＩ）が式（Ｃ−１−ａ）で表される化合物（式中、Ｒ６は水素原子を表す。）である安定剤混合物。
・成分（Ｉ）が式（Ｂ−１−ｂ）で表される化合物（式中、Ｅ１はメチル基を表す。）であり、成分（ＩＩ）が式（Ｂ−６−ａ）で表される化合物（式中、Ｅ１８はメチル基を表す。）であり、及び成分（ＩＩＩ）が式（Ｃ−１−ｄ）で表される化合物（式中、Ｒ６はメチル基を表す。）であるか、または式（Ｃ−２−ａ）で表される化合物（式中、Ｒ１３はメチル基を表す。）であるか、または式（Ｃ−５−ａ）で表される化合物（式中、Ｒ３０はメチル基を表す。）である安定剤混合物。
【００６２】
本発明に従った安定剤混合物の例は、以下の市販品の組合せである：
１．チヌビン　７７０　（登録商標：ＴＩＮＵＶＩＮ　７７０）＋リコビン　８４５（登録商標：ＬＩＣＯＶＩＮ　８４５）＋チマソルブ　９４４（登録商標：ＣＨＩＭＡＳＳＯＲＢ　９４４）。
２．チヌビン　７７０　（登録商標：ＴＩＮＵＶＩＮ　７７０）＋リコビン　８４５（登録商標：ＬＩＣＯＶＩＮ　８４５）＋チマソルブ　１１９（登録商標：ＣＨＩＭＡＳＳＯＲＢ　１１９）。
３．チヌビン　７７０　（登録商標：ＴＩＮＵＶＩＮ　７７０）＋リコビン　８４５（登録商標：ＬＩＣＯＶＩＮ　８４５）＋チマソルブ　２０２０（登録商標：ＣＨＩＭＡＳＳＯＲＢ　２０２０）。
４．チヌビン　７７０　（登録商標：ＴＩＮＵＶＩＮ　７７０）＋リコビン　８４５（登録商標：ＬＩＣＯＶＩＮ　８４５）＋ユバソルブ　ＵＶ　３３４６（登録商標：ＵＶＡＳＯＲＢ　ＵＶ　３３４６）。
５．チヌビン　７７０　（登録商標：ＴＩＮＵＶＩＮ　７７０）＋リコビン　８４５（登録商標：ＬＩＣＯＶＩＮ　８４５）＋ユバソルブ　ＵＶ　３５２９（登録商標：ＵＶＡＳＯＲＢ　ＵＶ　３５２９）。
６．チヌビン　７７０　（登録商標：ＴＩＮＵＶＩＮ　７７０）＋リコビン　８４５（登録商標：ＬＩＣＯＶＩＮ　８４５）＋ダスチブ　１０８２（登録商標：ＤＡＳＴＩＢ　１０８２）。
７．チヌビン　７７０　（登録商標：ＴＩＮＵＶＩＮ　７７０）＋リコビン　８４５（登録商標：ＬＩＣＯＶＩＮ　８４５）＋ユバシル　２９９（登録商標：ＵＶＡＳＩＬ　２９９）。
８．チヌビン　７７０　（登録商標：ＴＩＮＵＶＩＮ　７７０）＋リコビン　８４５（登録商標：ＬＩＣＯＶＩＮ　８４５）＋ユバソルブ　ＨＡ　８８（登録商標：ＵＶＡＳＯＲＢ　ＨＡ　８８）。
９．チヌビン　７７０　（登録商標：ＴＩＮＵＶＩＮ　７７０）＋リコビン　８４５（登録商標：ＬＩＣＯＶＩＮ　８４５）＋ユビヌル　５０５０　Ｈ（登録商標：ＵＶＩＮＵＬ　５０５０　Ｈ）。
１０．チヌビン　７７０　（登録商標：ＴＩＮＵＶＩＮ　７７０）＋リコビン　８４５（登録商標：ＬＩＣＯＶＩＮ　８４５）＋ＡＤＫ　スタブ　ＬＡ　６３（登録商標：ＡＤＫ　ＳＴＡＢ　ＬＡ　６３）。
１１．チヌビン　７７０　（登録商標：ＴＩＮＵＶＩＮ　７７０）＋リコビン　８４５（登録商標：ＬＩＣＯＶＩＮ　８４５）＋ＡＤＫ　スタブ　ＬＡ　６８（登録商標：ＡＤＫ　ＳＴＡＢ　ＬＡ　６８）。
１２．チヌビン　７７０　（登録商標：ＴＩＮＵＶＩＮ　７７０）＋リコビン　８４５（登録商標：ＬＩＣＯＶＩＮ　８４５）＋リヒツフツシュトフ　ＵＶ　３１（登録商標：ＬＩＣＨＴＳＣＨＵＴＺＳＴＯＦＦ　ＵＶ　３１）。
１３．チヌビン　７７０　（登録商標：ＴＩＮＵＶＩＮ　７７０）＋リコビン　８４５（登録商標：ＬＩＣＯＶＩＮ　８４５）＋ルケム　ＨＡ　Ｂ　１８（登録商標：ＬＵＣＨＥＭ　ＨＡ　Ｂ　１８）。
１４．チヌビン　７６５　（登録商標：ＴＩＮＵＶＩＮ　７６５）＋リコビン　８４５（登録商標：ＬＩＣＯＶＩＮ　８４５）＋チマソルブ　９４４（登録商標：ＣＨＩＭＡＳＳＯＲＢ　９４４）。
１５．チヌビン　７６５　（登録商標：ＴＩＮＵＶＩＮ　７６５）＋リコビン　８４５（登録商標：ＬＩＣＯＶＩＮ　８４５）＋チマソルブ　１１９（登録商標：ＣＨＩＭＡＳＳＯＲＢ　１１９）。
１６．チヌビン　７６５　（登録商標：ＴＩＮＵＶＩＮ　７６５）＋リコビン　８４５（登録商標：ＬＩＣＯＶＩＮ　８４５）＋チマソルブ　２０２０（登録商標：ＣＨＩＭＡＳＳＯＲＢ　２０２０）。
１７．チヌビン　７６５　（登録商標：ＴＩＮＵＶＩＮ　７６５）＋リコビン　８４５（登録商標：ＬＩＣＯＶＩＮ　８４５）＋ユバソルブ　ＵＶ　３３４６（登録商標：ＵＶＡＳＯＲＢ　ＵＶ　３３４６）。
１８．チヌビン　７６５　（登録商標：ＴＩＮＵＶＩＮ　７６５）＋リコビン　８４５（登録商標：ＬＩＣＯＶＩＮ　８４５）＋ユバソルブ　ＵＶ　３５２９（登録商標：ＵＶＡＳＯＲＢ　ＵＶ　３５２９）。
１９．チヌビン　７６５　（登録商標：ＴＩＮＵＶＩＮ　７６５）＋リコビン　８４５（登録商標：ＬＩＣＯＶＩＮ　８４５）＋ダスチブ　１０８２（登録商標：ＤＡＳＴＩＢ　１０８２）。
２０．チヌビン　７６５　（登録商標：ＴＩＮＵＶＩＮ　７６５）＋リコビン　８４５（登録商標：ＬＩＣＯＶＩＮ　８４５）＋ユバシル　２９９（登録商標：ＵＶＡＳＩＬ　２９９）。
２１．チヌビン　７６５　（登録商標：ＴＩＮＵＶＩＮ　７６５）＋リコビン　８４５（登録商標：ＬＩＣＯＶＩＮ　８４５）＋ユバソルブ　ＨＡ　８８（登録商標：ＵＶＡＳＯＲＢ　ＨＡ　８８）。
２２．チヌビン　７６５　（登録商標：ＴＩＮＵＶＩＮ　７６５）＋リコビン　８４５（登録商標：ＬＩＣＯＶＩＮ　８４５）＋ユビヌル　５０５０　Ｈ（登録商標：ＵＶＩＮＵＬ　５０５０　Ｈ）。
２３．チヌビン　７６５　（登録商標：ＴＩＮＵＶＩＮ　７６５）＋リコビン　８４５（登録商標：ＬＩＣＯＶＩＮ　８４５）＋ＡＤＫ　スタブ　ＬＡ　６３（登録商標：ＡＤＫ　ＳＴＡＢ　ＬＡ　６３）。
２４．チヌビン　７６５　（登録商標：ＴＩＮＵＶＩＮ　７６５）＋リコビン　８４５（登録商標：ＬＩＣＯＶＩＮ　８４５）＋ＡＤＫ　スタブ　ＬＡ　６８（登録商標：ＡＤＫ　ＳＴＡＢ　ＬＡ　６８）。
２５．チヌビン　７６５　（登録商標：ＴＩＮＵＶＩＮ　７６５）＋リコビン　８４５（登録商標：ＬＩＣＯＶＩＮ　８４５）＋リヒツフツシュトフ　ＵＶ　３１（登録商標：ＬＩＣＨＴＳＣＨＵＴＺＳＴＯＦＦ　ＵＶ　３１）。
２６．チヌビン　７６５　（登録商標：ＴＩＮＵＶＩＮ　７６５）＋リコビン　８４５（登録商標：ＬＩＣＯＶＩＮ　８４５）＋ルケム　ＨＡ　Ｂ　１８（登録商標：ＬＵＣＨＥＭ　ＨＡ　Ｂ　１８）。
【００６３】
特に好ましい安定剤混合物は、番号１ないし１１である。
【００６４】
上記混合物番号１４ないし２６において、リコビン　８４５（登録商標：ＬＩＣＯＶＩＮ　８４５）の代わりに、化合物（Ｂ−６−ａ−１）が存在する安定剤混合物もまた好ましい。
【００６５】
更なる特に好ましい安定剤混合物は、
・チヌビン　７６５　（登録商標：ＴＩＮＵＶＩＮ　７６５）＋化合物（Ｂ−６−ａ−１）＋チマソルブ　９４４（登録商標：ＣＨＩＭＡＳＳＯＲＢ　９４４）
・チヌビン　７６５　（登録商標：ＴＩＮＵＶＩＮ　７６５）＋化合物（Ｂ−６−ａ−１）＋シアソルブ　ＵＶ　３５２９（登録商標：ＣＹＡＳＯＲＢ　ＵＶ　３５２９）
・チヌビン　７６５　（登録商標：ＴＩＮＵＶＩＮ　７６５）＋化合物（Ｂ−６−ａ−１）＋ＡＤＫ　ＳＡＴＢ　ＬＡ　６３（登録商標：ＡＤＫ　ＳＡＴＢ　ＬＡ６３）
である。
【００６６】
化合物（Ｂ−６−ａ−１）は、式（Ｂ−６−ａ）で表される化合物（式中、Ｅ１８はメチル基を表す。）である。
【００６７】
市販製品チヌビン　７７０（登録商標：ＴＩＮＵＶＩＮ　７７０）は、式（Ｂ−１−ｂ）で表される化合物（式中、Ｅ１は水素原子を表す。）に相当する。
市販製品チヌビン　７６５（登録商標：ＴＩＮＵＶＩＮ　７６５）は、式（Ｂ−１−ｂ）で表される化合物（式中、Ｅ１はメチル基を表す。）に相当する。
市販製品リコビン　８４５（登録商標：ＬＩＣＯＶＩＮ　８４５）は、式（Ｂ−０−ａ）で表される化合物（式中、Ｅ１＊はオクチルオキシ基を表す。）に相当する。
市販品チマソルブ　９４４（登録商標：ＣＨＩＭＡＳＳＯＲＢ　９４４）は、式（Ｃ−１−ａ）で表される化合物（式中、Ｒ６は水素原子を表す。）に相当する。
市販品チマソルブ　１１９（登録商標：ＣＨＩＭＡＳＳＯＲＢ　１１９）は、式（Ｃ−２−ａ）で表される化合物（式中、Ｒ１３はメチル基を表す。）に相当する。
市販品チマソルブ　２０２０（登録商標：ＣＨＩＭＡＳＳＯＲＢ　２０２０）は、式（Ｃ−１−ｂ）で表される化合物（式中、Ｒ６は水素原子を表す。）に相当する。
市販品シアソルブ　ＵＶ　３３４６（登録商標：ＣＹＡＳＯＲＢ　ＵＶ　３３４６）は、式（Ｃ−１−ｄ）で表される化合物（式中、Ｒ６は水素原子を表す。）に相当する。
市販品シアソルブ　ＵＶ　３５２９（登録商標：ＣＹＡＳＯＲＢ　ＵＶ　３５２９）は、式（Ｃ−１−ｄ）で表される化合物（式中、Ｒ６はメチル基を表す。）に相当する。
市販品ダスチブ　１０８２（登録商標：ＤＡＳＴＩＢ　１０８２）は、式（Ｃ−１−ｃ）で表される化合物（式中、Ｒ６は水素原子を表す。）に相当する。
市販品ユバシル　２９９（登録商標：ＵＶＡＳＩＬ　２９９）は、式（Ｃ−３−ａ）で表される化合物（式中、Ｒ１６は水素原子を表す。）に相当する。
市販品ユバソルブ　ＨＡ　８８（登録商標：ＵＶＡＳＯＲＢ　ＨＡ　８８）は、特に式（Ｃ−６−γ−Ｉ）で表される化合物に相当する。
市販品ユビヌル　５０５０　Ｈ（登録商標：ＵＶＩＮＵＬ　５０５０　Ｈ）は、式（Ｃ−４−ａ）で表される化合物（式中、Ｒ１８は水素原子を表す。）に相当する。
市販品ＡＤＫ　ＳＡＴＢ　ＬＡ　６３（登録商標：ＡＤＫ　ＳＡＴＢ　ＬＡ　６３）は、式（Ｃ−５−ａ）で表される化合物（式中、Ｒ３０はメチル基を表す。）に相当する。
市販品ＡＤＫ　ＳＡＴＢ　ＬＡ　６８（登録商標：ＡＤＫ　ＳＡＴＢ　ＬＡ　６８）は、式（Ｃ−５−ａ）で表される化合物（式中、Ｒ３０は水素原子を表す。）に相当する。
市販品リヒツフツシュトフ　ＵＶ　３１（登録商標：ＬＩＣＨＴＳＣＨＵＴＺＳＴＯＦＦ　ＵＶ　３１）は、式（Ｃ−４−ｂ）で表される化合物（式中、Ｒ１８は水素原子を表す。）に相当する。
市販品ルケム　ＨＡ　Ｂ　１８（登録商標：ＬＵＣＨＥＭ　ＨＡ　Ｂ　１８）は、式（Ｃ−４−ｃ）で表される化合物（式中、Ｒ１８は水素原子を表す。）に相当する。
【００６８】
本発明の更なる好ましい態様は、所望により
（Ｘ−１）顔料または
（Ｘ−２）紫外線吸収剤または
（Ｘ−３）顔料及び紫外線吸収剤
を含む安定剤混合物に関する。
【００６９】
顔料（成分（Ｘ−１））は無機または有機顔料であり得る。
【００７０】
無機顔料の例としては、二酸化チタン、酸化亜鉛、カーボンブラック、硫化カドミウム、セレン化カドミウム、酸化クロム、酸化鉄、酸化鉛等がある。
【００７１】
有機顔料の例としては、アゾ顔料、アントラキノン、フタロシアニン、テトラクロロイソインドリノン、キナクリドン、イソインドリン、ぺリレン、ピロロピロール（例えばピグメント　レッド　２５４等がある。
【００７２】
“ゲーター／ミューラー（Ｇａｃｈｔｅｒ／Ｍｕｌｌｅｒ）：プラスチック添加剤手引書　第３版，ハンサー出版社，ミュンヘン　ウィーン　ニューヨーク”６４７〜６５９頁，要点１１．２．１．１〜１１．２．４．２に記載されている全ての有機顔料が、成分（Ｘ−１）として使用され得る。
【００７３】
特に好ましい顔料は、二酸化チタンであり、所望により有機顔料と組合わせられる。
【００７４】
そのような有機顔料の例として：
Ｃ．Ｉ．（カラーインデックス）ピグメントイエロー９３、Ｃ．Ｉ．ピグメントイエロー９５、Ｃ．Ｉ．ピグメントイエロー１３８、Ｃ．Ｉ．ピグメントイエロー１３９、Ｃ．Ｉ．ピグメントイエロー１５５、Ｃ．Ｉ．ピグメントイエロー１６２、Ｃ．Ｉ．ピグメントイエロー１６８、Ｃ．Ｉ．ピグメントイエロー１８０、Ｃ．Ｉ．ピグメントイエロー１８３、Ｃ．Ｉ．ピグメントレッド４４、Ｃ．Ｉ．ピグメントレッド１７０、Ｃ．Ｉ．ピグメントレッド２０２、Ｃ．Ｉ．ピグメントレッド２１４、Ｃ．Ｉ．ピグメントレッド２５４、Ｃ．Ｉ．ピグメントレッド２６４、Ｃ．Ｉ．ピグメントレッド２７２、Ｃ．Ｉ．ピグメントレッド４８：２、Ｃ．Ｉ．ピグメントレッド４８：３、Ｃ．Ｉ．ピグメントレッド５３：１、Ｃ．Ｉ．ピグメントレッド５７：１、Ｃ．Ｉ．ピグメントグリーン７、Ｃ．Ｉ．ピグメントブルー１５：１、Ｃ．Ｉ．ピグメントブルー１５：３及びＣ．Ｉ．ピグメントバイオレット１９がある。
【００７５】
紫外線吸収剤（成分（Ｘ−２））の例としては、２−（２’−ヒドロキシフェニル）ベンゾトリアゾール、２−ヒドロキシベンゾフェノン、置換された、または未置換の安息香酸のエステル、アクリレート、オキサミド、２−（２−ヒドロキシフェニル）−１，３，５−トリアジン、レソルシノールまたはホルムアミジンのモノベンゾエートがある。
【００７６】
２−（２’−ヒドロキシフェニル）ベンゾトリアゾールの例は、例えば、２−（２’−ヒドロキシ−５’−メチルフェニル）ベンゾトリアゾール、２−（３’，５’−ジ−第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロ−ベンゾトリアゾール、２−（３’−第三ブチル−２’−ヒドロキシ−５’−メチルフェニル）−５−クロロ−ベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロ−ベンゾトリアゾールの混合物、２−（３’−第三ブチル−５’−［２−（２−エチルヘキシルオキシ）−カルボニルエチル］−２’−ヒドロキシフェニル）−５−クロロ−ベンゾトリアゾール、２−（３’−第三ブチル−２’−ヒドロキシ−５’−（２−メトキシカルボニルエチル）フェニル）−５−クロロ−ベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニル）ベンゾトリアゾール、２，２’−メチレン−ビス［４−（１，１，３，３−テトラメチルブチル）−６−ベンゾトリアゾール−２−イルフェノール］、または２−［３’−第三ブチル−５’−（２−メトキシカルボニルエチル）−２’−ヒドロキシフェニル］−２Ｈ−ベンゾトリアゾールとポリエチレングリコール３００とのエステル交換生成物、次式［Ｒ−ＣＨ２ＣＨ２−ＣＯＯ（ＣＨ２）３−］２［式中、Ｒは３’−第三ブチル−４’−ヒドロキシ−５’−２Ｈ−ベンゾトリアゾル−２−イルフェニル基を表す。］で表されるものがある。
【００７７】
２−（３’，５’−ジ−第三−ブチル−２’−ヒドロキシフェニル）−５−クロロ−ベンゾトリアゾール、２−（３’−第三−ブチル−２’−ヒドロキシ−　５’−メチルフェニル）−５−クロロ−ベンゾトリアゾール及び２−（３’，５’−ジ−第三−アミル−２’−ヒドロキシフェニル）−ベンゾトリアゾールが好ましい。
【００７８】
２−ヒドロキシベンゾフェノンは、例えば、４−ヒドロキシ、４−メトキシ、４−オクチルオキシ、４−デシルオキシ、４−ドデシルオキシ、４−ベンジルオキシ、４，２’，４’−トリヒドロキシまたは２’−ヒドロキシ−４，４’−ジメトキシ誘導体がある。
【００７９】
２−ヒドロキシ−４−オクチルオキシベンゾフェノンが好ましい。
【００８０】
置換または未置換安息香酸のエステルは、例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、または２−メチル−４，６−ジ−第三ブチルフェニル３，５−ジ−第三ブチル−４−ヒドロキシベンゾエートがある。
【００８１】
２，４−ジ−第三−ブチルフェニル３，５−ジ−第三−ブチル−４−ヒドロキシベンゾエート及びヘキサデシル３，５−ジ−第三−ブチル−４−ヒドロキシベンゾエートが好ましい。
【００８２】
アクリレートは例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメートまたはＮ−（β−カルボメトキシ−β−シアノビニル）−２−メチルインドリンがある。
【００８３】
オキサミドは例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド、または２−エトキシ−２’−エチル−５，４’−ジ−第三ブトキサニリドとのその混合物、またはオルト−およびパラ−メトキシ−二置換オキサニリドの混合物、またはオルト−およびパラ−エトキシ−二置換オキサニリドの混合物。
【００８４】
２−（２−ヒドロキシフェニル）−１，３，５−トリアジンは、例えば２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシ−プロポキシ）フェニル］−４，６−ビス（２，４−ジメチル）−１，３，５−トリアジン、２−［２−ヒドロキシ−４−（２−ヒドロキシ−３−オクチルオキシ−プロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシ−プロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシ−プロポキシ）フェニル］−１，３，５−トリアジンまたは２−（２−ヒドロキシフェニル）−４−（４−メトキシフェニル）−６−フェニル−１，３，５−トリアジンがある。
【００８５】
２−（２−ヒドロキシ−４−オクチルオキシフェニル）−４，６−ビス（２，４−ジメチルフェニル）−１，３，５−トリアジン及び２−（２−ヒドロキシ−４−ヘキシルオキシ）フェニル−４，６−ジフェニル−１，３，５−トリアジンが好ましい。
【００８６】
レソルシノールのモノベンゾエートは、例えば式
【化１０８】
2004002808.tif 000064
で表される化合物である。
【００８７】
ホルムアミジンは、例えば式
【化１０９】
2004002808.tif 000065
で表される化合物である。
【００８８】
紫外線吸収剤は特に２−（２’−ヒドロキシフェニル）ベンゾトリアゾール、２−ヒドロキシベンゾフェノンまたはヒドロキシフェニルトリアジンである。
【００８９】
本発明の更なる好ましい態様は、更なる成分（ＸＸ）として、Ｃａの有機塩、Ｃａ、酸化Ｃａまたは水酸化Ｃａの無機塩を所望により含む安定剤混合物に関する。
【００９０】
Ｃａの有機塩の例として、Ｃａ−ステアレート、Ｃａ−ラウレート、Ｃａ−ラクテート、及びステアロイルラクテートがある。
【００９１】
Ｃａの無機塩の例として、ＣａＣＯ３、ＣａＣｌ２、ＣａＦ２、Ｃａ３（ＰＯ４）２、ＣａＨＰＯ４、Ｃａ（ＰＯ３）２、Ｃａ２Ｐ２Ｏ７、ＣａＳＯ４及びＣａＳｉｏ３がある。
【００９２】
本発明に従った安定剤混合物は、光、熱又は酸化により誘発される分解に対し、有機材料を安定化するために適当である。このような有機材料の例を下記に示す：
１．モノオレフィンおよびジオレフィンのポリマー、例えばポリプロピレン、ポリイソブチレン、ポリブテ−１−エン、ポリ−４−メチルペンテ−１−エン、ポリビニルシクロヘキセン、ポリイソプレンまたはポリブタジエン、並びにシクロオレフィン、例えばシクロペンテンまたはノルボルネンのポリマー、ポリエチレン（所望に架橋されることができる）、例えば高密度ポリエチレン（ＨＤＰＥ）、高密度および高分子量ポリエチレン（ＨＤＰＥ−ＨＭＷ）、高密度および超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）および（ＵＬＤＰＥ）。
【００９３】
ポリオレフィン、すなわち前段落において例示されたモノオレフィンのポリマー、好ましくはポリエチレンおよびポリプロピレンは、異なった、および特に以下の方法によって製造されることができる。
ａ）ラジカル重合（通常、高圧下および高温で）。
ｂ）通常一種または一種より多くの周期表のＩＶｂ、Ｖｂ、ＶＩｂまたはＶＩＩＩ群の金属原子を含む触媒を使用する触媒重合。これらの金属原子は通常１個または１個より多くの、代表的にはπ−またはσ−配位され得るオキシド、ハライド、アルコレート、エステル、エーテル、アミン、アルキル、アルケニルおよび／またはアリールのような配位子を有する。これらの金属錯体は遊離状態であり得るか、あるいは代表的には活性化塩化マグネシウム、塩化チタン（ＩＩＩ）、アルミナまたは酸化ケイ素のような基材上に固定され得る。これらの触媒は重合媒体中に可溶または不溶であり得る。触媒は重合において単独で使用されることができ、または代表的には金属アルキル、金属ヒドライド、金属アルキルハライド、金属アルキルオキシドまたは金属アルキルオキサンのようなさらなる活性化剤が使用されることができ、該金属原子は周期表のＩａ、ＩＩａおよび／またはＩＩＩａ群の元素である。活性化剤はさらなるエステル、エーテル、アミンまたはシリルエーテル基を用いて都合よく変性され得る。これらの触媒系は通常、フィリップス（Ｐｈｉｌｌｉｐｓ）、スタンダード　オイル　インディアナ（Ｓｔａｎｄａｒｄ　Ｏｉｌ　Ｉｎｄｉａｎａ）、チグラー（−ナッタ）（Ｚｉｅｇｌｅｒ（−Ｎａｔｔａ））、ＴＮＺ（デュポン（ＤｕＰｏｎｔ））、メタロセンまたはシングルサイト触媒（ｓｉｎｇｌｅ　ｓｉｔｅ　ｃａｔａｌｙｓｔ）（ＳＳＣ）と命名される。
【００９４】
２．１）に記載されたポリマーの混合物、例えばポリプロピレンとポリイソブチレンとの混合物、ポリプロピレンとポリエチレンとの混合物（例えばＰＰ／ＨＤＰＥ、ＰＰ／ＬＤＰＥ）および異なるタイプのポリエチレンの混合物（例えばＬＤＰＥ／ＨＤＰＥ）。
【００９５】
３．モノオレフィンおよびジオレフィンの相互または他のビニルモノマーとのコポリマー、例えばエチレン／プロピレンコポリマー、線状低密度ポリエチレン（ＬＬＤＰＥ）およびそれらと低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキセンコポリマー、エチレンシクロオレフィンコポリマー（例えば、ＣＯＣのようなエチレン／ノボルネン）、エチレン／１−オレフィンコポリマー（ここで、１−オレフィンは、現場で生成される。）、プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー、またはエチレン／アクリル酸コポリマーおよびそれらの塩（アイオノマー）並びにエチレンとプロピレンおよびヘキサジエン、ジシクロペンタジエンまたはエチリデン−ノルボルネンのようなジエンとのターポリマー、およびそのようなコポリマー相互および１）に記載されたポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡおよび交互またはランダムポリアルキレン／一酸化炭素コポリマーおよびそれらと例えばポリアミドのような他のポリマーとの混合物。
【００９６】
４．炭化水素樹脂（例えば炭素原子数５ないし９）であって、それらの水素化変性物（例えば粘着付与剤）を含むもの、およびポリアルキレンおよび澱粉の混合物。
【００９７】
１．）ないし４．）のホモポリマー及びコポリマーは、シンジオタクチック、アイソタクチック、ヘミ−アイソタクチック、またはアタクチックを含む、あらゆる立体構造を有し得る。；ここでは、アタクチックポリマーが好ましい。ステレオブロックポリマーもまた含まれる。
【００９８】
５．ポリスチレン、ポリ（ｐ−メチルスチレン）、ポリ（α−メチルスチレン）。
【００９９】
６．スチレン、α−メチルスチレン、ビニルトルエンの全ての異性体、とりわけｐ−ビニルトルエン、エチルスチレン、プロピルスチレン、ビニルビフェニル、ビニルナフタレン、及びビニルアントラセンの全ての異性体、及びそれらの混合物を含む芳香族ビニルモノマーから誘導された芳香族ホモポリマー及びコポリマー。ホモポリマー及びコポリマーはシンジオタクチック、アイソタクチック、ヘミ−アイソタクチック又はアタクチックを含むいずれの立体構造をも有し；アタクチックポリマーが好ましい。ステレオブロックポリマーがまた含まれる。
【０１００】
６ａ．エチレン、プロピレン、ジエン、ニトリル、酸、マレイン酸無水物、マレイミド、酢酸ビニル及び塩化ビニル又はアクリル誘導体及びその混合物から選択される上述された芳香族ビニルモノマー及びコモノマーを含むコポリマー、例えば、スチレン／ブタジエン、スチレン／アクリロニトリル、スチレン／エチレン（共重合体）、スチレン／アルキルメタクリレート、スチレン／ブタジエン／アルキルアクリレート、スチレン／マレイン酸無水物、スチレン／アクリロニトリル／メチルアクリレート；スチレンコポリマー及び他のポリマー、例えばポリアクリレート、ジエンポリマー又はエチレン／プロピレン／ジエンターポリマーの高耐衝撃性の混合物；及びスチレン／ブタジエン／スチレン、スチレン／イソプレン／スチレン、スチレン／エチレン／ブチレン／スチレン又はスチレン／エチレン／プロピレン／スチレンのようなスチレンのブロックコポリマー。
【０１０１】
６ｂ．　６．）で言及されたポリマーの水素化から誘導された水素化芳香族ポリマー、とりわけアタクチックポリスチレンを水素化することにより調製されるポリシクロヘキシルエチレン（ＰＣＨＥ）を含み、しばしばポリビニルシクロヘキサン（ＰＶＣＨ）として言及される。
【０１０２】
６ｃ．　６ａ．）で言及されたポリマーの水素化から誘導された水素化芳香族ポリマー。
【０１０３】
ホモポリマー及びコポリマーはシンジオタクチック、アイソタクチック、ヘミ−アイソタクチック又はアタクチックを含むいかなる立体構造をも有し；アタクチックポリマーが好ましい。ステレオブロックポリマーがまた含まれる。
【０１０４】
７．スチレン又はα−メチルスチレンのような芳香族ビニルモノマーのグラフトコポリマー、例えばポリブタジエンにスチレン、ポリブタジエン−スチレン又はポリブタジエン−アクリロニトリルコポリマーにスチレン；ポリブタジエンにスチレン及びアクリロニトリル（又はメタクリロニトリル）；ポリブタジエンにスチレン、アクリロニトリル及びメチルメタクリレート；ポリブタジエンにスチレン及びマレイン酸無水物；ポリブタジエンにスチレン、アクリロニトリル及びマレイン酸無水物又はマレイミド；ポリブタジエンにスチレン及びマレイミド；ポリブタジエンにスチレン及びアルキルアクリレート又はメタクリレート；エチレン／プロピレン／ジエンターポリマーにスチレン及びアクリロニトリル；ポリアルキルアクリレート又はポリアルキルメタクリレートにスチレン及びアクリロニトリル；アクリレート／ブタジエンコポリマーにスチレン及びアクリロニトリル、並びにそれらの６）に列挙されたコポリマーとの混合物、例えばＡＢＳ、ＭＢＳ、ＡＳＡ又はＡＥＳポリマーとして既知であるコポリマー混合物。
【０１０５】
８．ポリクロロプレン、塩化ゴム、イソブチレン−イソプレンの塩化及び臭化コポリマー（ハロブチルゴム）、塩化又はスルホ塩化ポリエチレン、エチレン及び塩化エチレンのコポリマー、エピクロロヒドリンホモ−及びコポリマー、とりわけハロゲン含有ビニル化合物のポリマー、例えばポリ塩化ビニル、ポリ塩化ビニリデン、ポリフッ化ビニル、ボリフッ化ビニリデンならびに塩化ビニル／塩化ビニリデン、塩化ビニル／酢酸ビニル又は塩化ビニリデン／酢酸ビニルのようなそれらのコボリマーのようなハロゲン含有ポリマー。
【０１０６】
９．α，β−不飽和酸から誘導されたポリマー及びポリアクリレート及びポリメタクリレートのようなその誘導体；ブチルアクリレートで耐衝撃改善されたポリメチルメタクリレート、ポリアクリルアミド及びポリアクリロニトリル。
【０１０７】
１０．９）で言及されたモノマーの互いの又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ビニルハライドコポリマー又はアクリロニトリル／アルキルメタクリレート／ブタジエンターポリマー。
【０１０８】
１１．不飽和アルコール及びアミンから誘導されたポリマー又はそれらのアシル誘導体又はアセタール、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；ならびに上の１）で言及されたオレフィンとそれらのコポリマー。
【０１０９】
１２．ポリアルキレングリコール、ボリエチレンオキシド、ポリプロピレンオキシドまたはビスグリシジルエーテルとそれらのコポリマーのような環式エーテルのホモポリマー及びコポリマー。
【０１１０】
１３．ポリオキシメチレンのようなポリアセタール及びコモノマーとしてエチレンオキシドを含むポリオキシメチレン；熱可塑性ポリウレタン、アクリレートまたはＭＢＳで変性されたポリアセタール。
【０１１１】
１４．ポリフェニレンオキシド及びスルフィド、及びポリフェニレンオキシドとスチレンポリマー又はポリアミドとの混合物。
【０１１２】
１５．一方はヒドロキシル基末端を有するポリエーテル、ポリエステル及びポリブタジエンと、他方は脂肪族又は芳香族のポリイソシアナートから誘導されたポリウレタン、ならびにそれらの前駆体。
【０１１３】
１６．ジアミシとジカルボン酸から及び／又はアミノカルボン酸又は対応するラクタムから誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレン、ジアミン及びアジピン酸から開始した芳香族ポリアミド；へキサメチレンジアミン及びイソフタル酸及び／又はテレフタル酸から及び変性剤としてのエラストマーを用いて又は用いずに調製されたポリアミド、例えばポリ−２，４，４−トリメチルヘキサメチレンテレフタルアミド又はポリ−ｍ−フェニレンイソフタルアミド：及び上述されたポリアミドとポリオレフィン、オレフィンコポリマー、アイオノマー又は化学的に結合されたか又はグラフトされたエラストマーとの；又は例えばポリエチレングリコール、ポリプロピレングリコール又はポリテトラメチレングリコールのようなポリエーテルとのブロックコポリマー；ならびにＥＰＤＭ又はＡＢＳで変性されたポリアミド又はコポリアミド；及び加工の間に縮合されたポリアミド（ＲＩＭポリアミド系）。
【０１１４】
１７．ポリ尿素、ポリイミド、ボリアミド−イミド、ポリエーテルイミド、ポリエステルイミド、ポリヒダントイン及びポリベンズイミダゾール。
【０１１５】
１８．ジカルボン酸とジアルコールから及び／又はヒドロキシカルボン酸又は対応するラクトンから誘導されたポリエステル、例えばポリエチレンテレフタレート、ポリブチレンテレフタレート、ポリ−１，４−ジメチロールシクロヘキサンテレフタレート、ポリアルキレンナフタレート（ＰＡＮ）及びポリヒドロキシベンゾエート、ならびにヒドロキシル末端ポリエーテルから誘導されたブロックポリエーテルエステル；及びまたポリカーボネート又はＭＢＳで変性されたポリエステル。
【０１１６】
１９．ポリカーボネート及びポリエステルカーボネート。
【０１１７】
２０．ポリケトン。
【０１１８】
２１．ポリスルホン、ポリエーテルスルホン及びポリエーテルケトン。
【０１１９】
２２．フェノール／ホルムアルデヒド樹脂、尿素／ホルムアルデヒド樹脂及びメラミン／ホルムアルデヒド樹脂のような一方はアルデヒド、他方はフェノール、尿素及びメラミンから誘導された架橋ポリマー。
【０１２０】
２３．乾性及び非乾性アルキド樹脂。
【０１２１】
２４．飽和及び不飽和ジカルボン酸と、架橋剤としての多価アルコール及びビニル化合物とのコポリマーから誘導される不飽和ポリエステル樹脂、及びまたそれ自体が低易燃性のハロゲン含有変性体。
【０１２２】
２５．置換されたアクリレートから誘導された架橋性アクリル樹脂、例えばエポキシアクリレート、ウレタンアクリレート又はポリエステルアクリレート。
【０１２３】
２６．メラミン樹脂、尿素樹脂、イソシアネート、イソシアヌレート、ポリイソシアネート又はエポキシ樹脂で架橋されたアルキド樹脂、ポリエステル樹脂及びアクリレート樹脂。
【０１２４】
２７．酸無水物又はアミンのような慣用の硬化剤により、又は促進剤を伴って又は伴わずに架橋された、脂肪族、脂環式、複素環式又は芳香族グリシジル化合物、例えばビスフェノールＡとビスフェノールＦのジグリシジルエーテル生成物から誘導される架橋されたエポキシ樹脂。
【０１２５】
２８．セルロース、ゴム、ゼラチン及び化学的に変性されたそれらの相同の誘導体、例えば酢酸セルロース、プロピオン酸セルロース及び酪酸セルロース、又はメチルセルロースのようなセルロースエーテル；ならびにロジン及びその誘導体のような天然ポリマー。
【０１２６】
２９．前述されたポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【０１２７】
３０．純粋なモノマー化合物又はそのような化合物の混合物である自然に生じる及び合成の有機材料、例えばミネラルオイル、動物及び植物性油脂、オイル及びワックス、又は合成エステル（例えばフタレート、アジペート、ホスフェート又はトリメリテート）に基づくオイル、脂肪及びワックス及びまたいずれの重量比におけるミネラルオイルと合成エステルの混合物、典型的に紡糸組成物として使用されるもの、ならびにそのような材料の水性エマルジョン。
【０１２８】
３１．天然又は合成ゴムの水性エマルジョン、例えばカルボキシ化スチレン／ブタジエンコポリマーの天然ラテックス又はラテックス類。
【０１２９】
本発明の他の態様は、光、熱又は酸化により誘発される分解をうけやすい有機材料を含む組成物、及び上記安定剤混合物、並びにその有機材料を安定化させるための方法である。
【０１３０】
有機材料は、好ましくは合成ポリマー、特に上記群の一つからのものである。ポリオレフィンが好ましく、そしてポリエチレン、ポリプロピレン、ポリエチレンコポリマー、またはポリプロピレンコポリマーが特に好ましい。
【０１３１】
成分（Ｉ）、（ＩＩ）及び（ＩＩＩ）及び所望により（Ｘ−１）及び／または（Ｘ−２）、並びに所望により成分（ＸＸ）は、安定化されるべき有機材料へ、個々に、または互いに混合させられて添加され得る。
【０１３２】
成分（Ｉ）、（ＩＩ）及び（ＩＩＩ）の各々は、有機材料の質量に基づいて、有機材料中に、好ましくは０．００５ないし５％、特に０．０１ないし０．１％または０．０５ないし１％の量で存在する。
【０１３３】
成分（Ｉ）：（ＩＩ）または（Ｉ）：（ＩＩＩ）の質量比は、好ましくは１０：１ないし１：１００、特に１０：１ないし１：１０または５：１ないし１：５である。質量比の更なる例としてはまた、１：１ないし１：１０、例えば１：２ないし１：５である。
【０１３４】
成分（Ｉ）＋（ＩＩ）：（ＩＩＩ）の質量比は、好ましくは１０：１ないし１：１０、または５：１ないし１：５、または２：１ないし１：２である。
【０１３５】
顔料（成分（Ｘ−１））は、所望により有機材料中に、有機材料の質量に基づいて、好ましくは０．０１ないし１０％、特に０．０５ないし１％の量で存在する。
【０１３６】
紫外線吸収剤（成分（Ｘ−２））は、所望により有機材料中に、有機材料の質量に基づいて、好ましくは０．０１ないし１％、特に０．０５ないし０．５％の量で存在する。
【０１３７】
成分（Ｘ−３）の総量（顔料と紫外線吸収剤の組合せ）は、有機材料の質量に基づいて、好ましくは０．０１ないし１０％、である。紫外線吸収剤対顔料の質量比は、例えば、２：１ないし１：１０である。
【０１３８】
使用された顔料が、二酸化チタンと上記したような有機顔料の組合せである場合、二酸化チタンは、有機材料中に、有機材料の質量に基づいて、好ましくは０．０１ないし５％の量で存在し、そして有機顔料は、有機材料の質量に基づいて、例えば０．０１ないし２％の量で存在し得る。
【０１３９】
Ｃａ化合物（成分（ＸＸ））は、所望により有機材料中に、例えば０．００５ないし１％、好ましくは０．０５ないし２％の量で存在する。
【０１４０】
立体障害アミン（成分（Ｉ）、（ＩＩ）及び（ＩＩＩ））：（Ｘ−１）の質量比は、例えば１：１０ないし１０：１、好ましくは１：５ないし５：１、特に１：２ないし２：１である。
【０１４１】
立体障害アミン：（Ｘ−２）の質量比は、例えば１：２０ないし２０：１、または１：２０ないし１０：１、または１：１０ないし１０：１、または１：５ないし５：１、好ましくは１：２ないし２：１である。
【０１４２】
立体障害アミン：（Ｘ−３）の質量比は、例えば１：１０ないし１０：１、好ましくは１：５ないし５：１、特に１：２ないし２：１である。
【０１４３】
立体障害アミン：（ＸＸ）の質量比は、例えば１：１０ないし１０：１、好ましくは１：５ないし５：１、特に１：２ないし２：１である。
【０１４４】
上記成分は公知の方法により、例えば形成の前もしくは間に、または溶解もしくは分散された化合物を有機材料に適用し、必要であれば続いて溶媒をエバポレーションすることにより、安定化されるべき有機材料中に配合され得る。上記成分は、粉末、グラニュールまたは例えば２．５ないし２５質量％の濃度でこれらの成分を含むマスターバッチの形状で有機材料に添加され得る。
【０１４５】
所望であれば、成分（Ｉ）、（ＩＩ）及び（ＩＩＩ）及び所望による（Ｘ−１）及び／または（Ｘ−２）、並びに成分（ＸＸ）は、有機材料に配合される前に、互いにブレンドされ得る。それらは重合の前もしくはその間、または架橋の前にポリマーに添加され得る。
【０１４６】
本発明に従って安定化された有機材料は、様々な形態で、例えばフィルム、繊維、テープ、成形材料、異形材として、または塗料、接着剤もしくはパテの結合剤として使用され得る。
【０１４７】
本発明に従ったプラスチックの加工又は成形の例を以下に示す。
射出吹込成形、押出、吹込成形、回転成形、装飾品の成形（背面射出）、スラッシ成形、射出成形、同時射出（ｃｏ−ｉｎｊｅｃｔｉｏｎ）成形、二次成形、圧縮成形、加圧成形、加圧フィルム押出（キャストフィルム；吹込フィルム）、紡糸（織布、不織布）、圧伸成形（一軸、二軸）、アニール、深絞り成形、圧延カレンダ成形（ｃａｌａｎｄｅｒｉｎｇ）、機械成形、焼結、相互押出、被覆、積層、架橋（輻射、ペルオキシド、シラン）、蒸着、共溶接、グルー、加硫、熱成形、パイプ押出、異形押出、シート押出；シート流延、スピン塗布、ストラップ、発泡、再循環／再生材料、押出被覆、ビスブレーキング（ぺルオキシド、熱）、繊維溶融吹込、不織、表面処理（コロナ放電、火炎、プラズマ）、殺菌（γ線、電子ビームによる）、流し込み重合（Ｒ＆Ｍ法、ＲＡＭ押出）、ゲル被覆およびテープ押出及びＧＭＴ−加工、ＳＭＣ−加工、プラスチゾル、及び浸漬（ＰＶＣ、ラテックス）。
【０１４８】
本発明に従ったプラスチックは、以下のものの製造のために使用され得る；
Ｉ−１）浮動機器、海用機器への適用、ポンツーン、ブイ、デッキのプラスチック製材、桟橋、ボート、カヤック、オールおよび海岸の補強材。
【０１４９】
Ｉ−２）自動車への適用、特にバンパー、ダッシュボード、バッテリー、リアおよびフロントの線装飾、ボンネットの下の成形部分、ボンネットの棚板、トランクの内張り、室内の内張り、エアバックカバー、取付け部品（ライト）の電子成形、ダッシュボードのガラス板、ヘッドランプのガラス板、計器パネル、室外内張り、室内装飾材料、自動車のライト、ヘッドライト、パーキングライト、リアライト、ストップライト、内装品および外装品；ドアパネル；ガスタンク；フロントガラス；リアウィンドウ；シート基材、室外パネル、電線絶縁物、シールの為の異形押出物、クラッド、柱カバー、シャシ部分、排気システム、燃料フィルター／填材、燃料ポンプ、燃料タンク、車体の成形品、コンバーチブル屋根、室外のミラー、室外装飾、締結具／固定具、フロント部分のモジュール、ガラス、ヒンジ、ロックシステム、手荷物用／ルーフラック、プレス／打抜き部品、封止装置、側部の衝撃保護材、防音材／絶縁材およびサンルーフ。
【０１５０】
Ｉ−３）
道路交通機器、特に交通標識、道路標識、自動車の備品、警告三角形、医療ケース、ヘルメット、タイヤ。
【０１５１】
Ｉ−４）家具を含む、飛行機、鉄道、自動車（車、モーターバイク）の部品。
【０１５２】
Ｉ−５）宇宙用の部品、特にロケットおよび衛星、例えば再突入シールド（ｒｅｅｎｔｙ　ｓｈｉｅｌｄ）。
【０１５３】
Ｉ−６）建築および設計の、鉱業用の用途、音響防音システム、街の避難所、およびシェルターの部材。
【０１５４】
ＩＩ−１）一般的な機具、ケースおよびカバー、および電気／電子機器（パーソナルコンピューター、電話、携帯電話、プリンター、テレビセット、オーディオおよびビデオ機器）、植木鉢、衛星ＴＶ盤、およびパネル機器。
【０１５５】
ＩＩ−２）鋼または布のような他の材料の外被。
【０１５６】
ＩＩ−３）電子工業の機器、とりわけプラグの絶縁体、特にコンピュータープラグ、電気および電子部品のケース、プリントボード、およびチップ、チェックカード、またはクレジットカードのような電子データ保存のための材料。
【０１５７】
ＩＩ−４）電気機具、とりわけ洗濯機、乾燥機、オーブン（マイクロ波オーブン）、皿洗い機、ミキサー、およびアイロン。
【０１５８】
ＩＩ−５）ライトカバー（例えば、街灯、ランプシェード）。
【０１５９】
ＩＩ−６）ワイヤーおよびケーブルでの適用（半導体、絶縁体およびケーブル被覆）
【０１６０】
ＩＩ−７）冷却器、冷蔵庫、加熱装置、空調機、電子部品の封入、半導体、コーヒー機器、および真空掃除機。
【０１６１】
ＩＩＩ−１）はめば歯車（ギアー）、スライド取付品、スペーサー、スクリュー、ボルト、ハンドル、およびノブのような技術的部品。
【０１６２】
ＩＩＩ−２）回転翼、換気扇およびタービンの翼、ソーラー装置、スイミングプール、スイミングプールカバー、プールライナー、ポンドライナー、クロゼット、衣装ダンス、区分壁、小割壁、折畳壁、屋根、シャッター（例えば、ローラーシャッター）、建具、パイプ間の接合具、スリーブ、およびコンベヤーベルト。
【０１６３】
ＩＩＩ−３）衛生用品、特にシャワー室、便座、カバー、洗面台。
【０１６４】
ＩＩＩ−４）衛生用品、特にオムツ（幼児、成人の失禁用）、女性の生理用品、シャワーカーテン、ブラシ、マット、桶、移動式のトイレ、歯ブラシ、および便器。
【０１６５】
ＩＩＩ−５）水、汚水、および化学薬品のための（架橋された又はされていない）パイプ、ワイヤーおよびケーブル保護のためのパイプ、ガス、オイルおよび下水のためのパイプ、溝、縦樋、および排水システム
【０１６６】
ＩＩＩ−６）結合構造（窓ガラス）および羽目の異形材
【０１６７】
ＩＩＩ−７）ガラス代用品、とりわけ押出プレート、ビル（モノリシック、二層または多層）、航空機、学校のガラス、押出シート、建築物のガラス、電車、乗物、衛生室および温室のための窓フィルム。
【０１６８】
ＩＩＩ−８）プレート（壁、まな板）、押出被覆（印画紙、テトラパック（ｔｅｔｒａｐａｃｋ）、およびパイプ被覆）、サイロ、木材代用品、プラスチック製材、複合木材、壁、表面材、家具、装飾箔、床被覆（室内および室外）、フローリング、踏板、およびタイル。
【０１６９】
ＩＩＩ−９）取入れおよび排出マニホールド。
【０１７０】
ＩＩＩ−１０）セメント−、コンクリート−、複合−適用、および被覆、羽目およびクラッド、手すり、手すり子、キッチンカウンター、屋根ふき、屋根ふきシート、タイルおよび防水シート。
【０１７１】
ＩＶ−１）プレート（壁、まな板）、トレー、人工芝、アストロターフ、競技場（運動）の人工カバー、競技場（運動）の人工床、およびテープ。
【０１７２】
ＩＶ−２）連続および短繊維の織物、繊維（カーペット／衛生用品／ジオテキスタイル（ｇｅｏｔｅｘｔｉｌｅｓ）／モノフィラメント；フィルター；ふくもの／カーテン（シェード）／医療用品）、ばら繊維（ガウン／防護衣等への適用）、ネット、ロープ、ケーブル、紐、コード、糸、安全シートベルト、衣服、下着、手袋；ブーツ；ゴムブーツ、肌着、長い上着、水着、運動着、傘（パラソル、日傘）、パラシュート、パラグライダー、帆、“気球に使用されている絹”、キャンプ用品、テント、エアーベッド、サンベッド（ｓｕｎ　ｂｅｄ）、大きなバック（ｂｕｌｋ　ｂａｇ）、およびバック。
【０１７３】
ＩＶ−３）屋根、トンネル、ごみ捨て場、池、投棄場、壁、屋根膜、ジオ膜、スイミングプール、カーテン（シェード）／サン−シールド（ｓｕｎ−ｓｈｉｅｌｄｓ）、日除け、キャノピー、壁紙、食品パックおよびラップ（柔軟なおよび固形の）、医薬品のパッケージ（柔軟なおよび固形の）、エアーバッグ／安全ベルト、腕−および頭受け、カーペット、中央のコンソール（ｃｅｎｔｅｒ　ｃｏｎｓｏｌｅ）、ダッシュボード、コックピット、ドア、頭上のコンソールモジュール（ｏｖｅｒｈｅａｄ　ｃｏｎｓｏｌｅ　ｍｏｄｕｌｅ）、ドア装飾、ヘッドライナー、室内灯、室内鏡、網棚、荷台の荷物カバー、シート、かじ取り柱、ハンドル、布地、およびトランク装飾のための膜、絶縁体、カバーおよびシール。
【０１７４】
Ｖ）フィルム（包装用、堆積、積層、農業用、および園芸用、温室用、マルチ、トンネル用、緑蔵飼料用）、荷梱包、スイミングプール、ごみ袋、壁紙、延伸フィルム、ラフィア、海水脱塩フィルム、バッテリー、およびコネクター。
【０１７５】
ＶＩ−１）食品パックおよびラップ（柔軟なおよび固形な）、ＢＯＰＰ，ＢＯＰＥＴ、ボトル。
【０１７６】
ＶＩ−２）箱（クレート）、旅行かばん、大型の収納箱、家用の箱、パレット、棚、トラック（ｔｒａｃｋｓ）、ねじ受け、パックおよび缶のような収納システム。
【０１７７】
ＶＩ−３）カートリッジ、シリンジ、医療製品、輸送のためのコンテナ、くずかご、およびくず箱、ごみ袋、ビン、ごみ入れ、ごみ箱のライナー（ｂｉｎ　ｌｉｎｅｒｓ）、ホイルのようなビン（ｗｈｅｅｌｙ　ｂｉｎｓ）、一般的なコンテナ、水／使用水／化学薬品／ガス／オイル／ガソリン／軽油のためのタンク；タンクのライナー（ｔｓｎｋ　ｌｉｎｅｒｓ）、箱、クレート、バッテリーケース、トラフ、ピストン、眼病用用品、診察機器のような医療機器、および薬剤ブリスターの梱包。
【０１７８】
ＶＩＩ−１）押出被覆（印画紙、テトラパック（ｔｅｔｒａｐａｃｋ）、およびパイプ被覆）、全種類の家庭用品（例えば、電気機器、魔法壜／衣料ハンガー）、プラグ、ワイヤーおよびケーブルクランプ、ジッパー、クロージャー、鍵およびスナップ−クロージャーのような締結システム。
【０１７９】
ＶＩＩ−２）運動およびフィットネス機器、体操マット、スキーブーツ、インライン−スケート、スキー、ビックフット（ｂｉｇ　ｆｏｏｔ）、運動場（例えばテニスコート）のような余暇時間のための補助機器および製品；ねじ蓋、ボトルおよび缶の蓋およびストッパー。
【０１８０】
ＶＩＩ−３）一般的な家具、発泡製品（クッション、衝撃吸収材）、フォーム、スポンジ、ふきん、マット、ガーデンチェアー、競技場シート、テーブル、ソファー、玩具、積み木（板／フィギャア／ボール）、おもちゃの家、滑り台、および遊び用乗物。
【０１８１】
ＶＩＩ−４）光学および磁気データ保存のための材料
【０１８２】
ＶＩＩ−５）台所用品（食べるための、飲むための。料理するための、保存するための）
【０１８３】
ＶＩＩ−６）ＣＤ類、カセットおよびビデオテープの箱；ＤＶＤ電子製品、全ての種類のオフィス用品（ボールペン、印鑑および印肉、マウス、棚、トラック（ｔｒａｃｋｓ））、いかなる体積のボトルおよび内容物（飲料、洗剤、香水を含む化粧品）、および接着テープ。
【０１８４】
ＶＩＩ−７）履物（靴、靴底）、靴の敷皮、スパッツ、接着剤、構造用接着剤、食品箱（果物、野菜、肉、魚）、合成紙、ボトルのラベル、ソファー、人工関節（人間）、プリントプレート（フレキソ印刷用）、プリント回路ボード、およびディスプレーの技術。
【０１８５】
ＶＩＩ−８）充填ポリマー（タルク、チョーク、チャイナクレー（カオリン）、珪灰石、顔料、カーボンブラック、ＴｉＯ２、雲母、ナノ組成物、ドロマイト、シリカ、シリケート、ガラス、アスベスト）の装置。
【０１８６】
安定化される材料は、所望により、例えば以下のような様々な慣用の添加剤もまた含み得る。
１．抗酸化剤
１．１．アルキル化モノフェノール、
例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、線状又は側鎖において分岐したノニルフェノール、例えば、２，６−ジ−ノニル−４−メチルフェノール、２，４−ジメチル−６−（１’−メチル　−ウンデシ−１’−イル）−フェノール、２，４−ジメチル−６−（１’−メチル　−ヘプタデシ−１’−イル）フェノール、２，４−ジメチル−６−（１’−メチルトリデシ−１’−イル）フェノール及びそれらの混合物。
【０１８７】
１．２．アルキルチオメチルフェノール、
例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【０１８８】
１．３．ヒドロキノン及びアルキル化ヒドロキノン、
例えば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【０１８９】
１．４．トコフェロール、
例えば、α−トコフェロール、β−トコフェロール、γ−トコフェロール、
δ−トコフェロール及びそれらの混合物（ビタミンＥ）。
【０１９０】
１．５．ヒドロキシル化チオジフェニルエーテル、
例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド。
【０１９１】
１．６．アルキリデンビスフェノール、
例えば、２，２’−メチレンビス（６−第三ブチル−４−メチルフェノール）、
２，２’−メチレンビス（６−第三ブチル−４−エチルフェノール）、２，２’−メチレンビス［４−メチル−６−（α−メチルシクロヘキシル）−フェノール］、
２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス−（３，５−ジメチル−２−ヒドロキシフェニル）ブタン、２，２−ビス（３，５−ジ−第三ブチル−４−ヒドロキシフェニル）プロパン、２，２−ビス−（５−第三ブチル−４−ヒドロキシ２−メチルフェニル）−４−ｎ−ドデシルメルカプトブタン、１，１，５，５−テトラ（５−第三ブチル−４−ヒドロキシ−２−メチルフェニル）ペンタン。
【０１９２】
１．７．Ｏ−、Ｎ−及びＳ−ベンジル化合物、
例えば、３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
【０１９３】
１．８．ヒドロキシベンジル化マロネート、
例えば、ジオクタデシル−２，２−ビス（３，５−ジ−第三ブチル−２−ヒドロキシベンジル）マロネート、ジ−オクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス−［４−（１，１，３，３−テトラメチルブチル）フェニル］−２，２−ビス（３，５−ジ−第三ブチル−４−ヒドロキシベンジル）マロネート。
【０１９４】
１．９．芳香族ヒドロキシベンジル化合物、
例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【０１９５】
１．１０．トリアジン化合物、
例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３，５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス−（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【０１９６】
１．１１．ベンジルホスホネート、
例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【０１９７】
１．１２．アシルアミノフェノール、
例えば、４−ヒドロキシラウラニリド、４−ヒドロキシステアラニリド、オクチルＮ−（３，５−ジ−第三ブチル−４−ヒドロキシフェニル）カルバメート。
【０１９８】
１．１３．β−（３，５−ジ−第三ブチル−４−ヒドロキシフェニル）プロピオン酸のエステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１９９】
１．１４．β−（５−第三ブチル−４−ヒドロキシ−３−メチルフェニル）プロピオン酸のエステルであって、一価または多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−第三ブチル−４−ヒドロキシ−５−メチルフェニル）プロピオニルオキシ｝−１，１−ジメチルエチル］−２，４，８，１０−テトラオキサスピロ［５．５］−ウンデカンとのエステル。
【０２００】
１．１５．β−（３，５−ジシクロヘキシル−４−ヒドロキシフェニル）プロピオン酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）−オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０２０１】
１．１６．３，５−ジ−第三ブチル−４−ヒドロキシフェニル酢酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０２０２】
１．１７．β−（３，５−ジ−第三ブチル−４−ヒドロキシフェニル）プロピオン酸のアミド、例えば、
Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤルによって供給されるナウガードＸＬ−１；登録商標：Ｎａｕｇａｒｄ）。
【０２０３】
１．１８．アスコルビン酸（ビタミンＣ）
【０２０４】
１．１９．アミン酸化防止剤、
例えば、Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチル−ヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン、Ｎ，Ｎ−ビス（２，２，６，６−テトラメチルピペリジ−４−イル−ヘキサメチレンジアミン、ビス（２，２，６，６−テトラメチルピペリジ−４−イル）セバケート、２，２，６，６−テトラメチルピペリジノ−４−オン、２，２，６，６−テトラメチルピペリジノ−４−オール。
【０２０５】
２．ＵＶ吸収剤及び光安定剤
２．１．２−（２’−ヒドロキシフェニル）ベンゾトリアゾール、
例えば、２−（２’−ヒドロキシ−５’−メチルフェニル）ベンゾトリアゾール、２−（３’，５’−ジ−第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロベンゾトリアゾール、２−（３’−第三ブチル−２’−ヒドロキシ−５’−メチルフェニル）−５−クロロベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロベンゾトリアゾール、２−（３’−第三ブチル−５’−［２−（２−エチルヘキシルオキシ）カルボニルエチル］−２’−ヒドロキシフェニル）−５−クロロベンゾトリアゾール、２−（３’−第三ブチル−２’−ヒドロキシ−５’−（２−メトキシカルボニルエチル）フェニル）−５−クロロベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾレ−２−イルフェノール］；２−［３’−第三ブチル−５’−（２−メトキシカルボニルエチル）−２’−ヒドロキシ−フェニル］−２Ｈ−ベンゾトリアゾールとポリエチレングリコール３００とのエステル交換生成物；Ｒが３’−第三ブチル−４’−ヒドロキシ−５’−２Ｈ−ベンゾトリアゾリ−２−イルフェニル基を表す［Ｒ−ＣＨ２ＣＨ２−ＣＯＯ−ＣＨ２ＣＨ２−］２−、２−［２’−ヒドロキシ−３’−（α，α−ジメチルベンジル）−５’−（１，１，３，３−テトラメチルブチル）フェニル］ベンゾトリアゾール；２−［２’−ヒドロキシ−３’−　（１，１，３，３−テトラメチルブチル）−５’−（α，α−ジメチルベンジル）フェニル］ベンゾトリアゾール。
【０２０６】
２．２．２−ヒドロキシベンゾフェノン、
例えば、４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【０２０７】
２．３．置換された及び非置換の安息香酸のエステル、
例えば、４−第三ブチル−フェニルサリチレート、フェニルサリチレート、オクチルフェニルサリチレート、ジベンゾイルレソルシノール、ビス（４−第三ブチルベンゾイル）レソルシノール、ベンゾイルレソルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエート。
【０２０８】
２．４．アクリレート、
例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート及びＮ−（β−カルボメトキシ−β−シアノビニル）−２−メチルインドリン。
【０２０９】
２．５．ニッケル化合物、
例えば、ｎ−ブチルアミン、トリエタノールアミン又はＮ−シクロヘキシルジエタノールアミンのような他の配位子を伴うか又は伴わない１：１又は１：２錯体のような２，２’−チオビス−［４−（１，１，３，３−テトラメチルブチル）フェノール］のニッケル錯体、ニッケルジブチルジチオカルバメート、モノアルキルエステルのニッケル塩、例えば４−ヒドロキシ−３，５−ジ−第三ブチルベンジルホスホン酸のメチル又はエチルエステル、ケトキシム、例えば２−ヒドロキシ−４−メチルフェニル−ウンデシルケトキシムのニッケル錯体、他の配位子を伴うか又は伴わない１−フェニル−４−ラウロイル−５−ヒドロキシピラゾールのニッケル錯体。
【０２１０】
２．６．立体障害アミン、
例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの線状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）−ヘキサメチレンジアミンと４−モルホリノ−２，６−ジクロロ−１，３，５−トリアジンの線状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合物、１，２−ビス（３−アミノプロピルアミノ）エタンと２，４，６−トリクロロ−１，３，５−トリアジン並びに４−ブチルアミノ−２，２，６，６−テトラメチルピペリジンの縮合物（ＣＡＳ　Ｒｅｇ．Ｎｏ．［１３６５０４−９６−６］）；１，６−ヘキサンジアミンと２，４，６−トリクロロ−１，３，５−トリアジン並びにＮ，Ｎ−ジブチルアミンと４−ブチルアミノ−２，２，６，６−テトラメチルピペリジンの縮合物（ＣＡＳ　Ｒｅｇ．Ｎｏ．［１９２２６８−６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソ−スピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物。
【０２１１】
２．７．オキサミド、
例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド及びその２−エトキシ−２’−エチル−５，４’−ジ−第三ブトキサニリドとの混合物、ｏ−及びｐ−メトキシ−二置換オキサニリドの混合物及びｏ−及びｐ−エトキシ−二置換オキサニリドの混合物。
【０２１２】
２．８．　２−（２−ヒドロキシフェニル）−１，３，５−トリアジン、
例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【０２１３】
３．金属奪活剤、
例えば、Ｎ，Ｎ’−ジフェニルオキサミド、Ｎ−サリチラル−Ｎ’−サリチロイル−ヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【０２１４】
４．ホスフィット及びホスホニット、
例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，４−ジ−クミルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）４，４’−ビフェニレンジホスホニット、６−イソオクチルオキシ−２，４，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２’，２”−ニトリロ［トリエチルトリス（３，３’，５，５’−テトラ−第三ブチル−１，１’−ビフェニル−２，２’−ジイル）−ホスフィット］、２−エチルヘキシル（３，３’，５，５’−テトラ−第三ブチル−１，１’−ビフェニル−２，２’−ジイル）ホスフィット、５−ブチル−５−エチル−２−（２，４，６−トリ−第三ブチルフェノキシ）−１，３，２−ジオキサホスフィラン。
【０２１５】
以下のホスフィットがとりわけ好ましい：
トリス（２，４−ジ−第三ブチルフェニル）ホスフィット（イルガフォス１６８（登録商標：Ｉｒｇａｆｏｓ）、チバ−ガイギー社）、トリス（ノニルフェニル）ホスフィット、
【化１１０】
2004002808.tif 000066
。
【０２１６】
５．ヒドロキシルアミン、
例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【０２１７】
６．ニトロン、
例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化牛脂アミンから誘導されたＮ，Ｎ−ジアルキルヒドロキシルアミンから誘導されたニトロン。
【０２１８】
７．チオ相乗剤、
例えば、ジラウリルチオジプロピオン酸又はジステアリルチオジプロピオン酸。
【０２１９】
８．過酸化物捕捉剤、
例えば、β−チオジプロピオン酸のエステル、例えば、ラウリル、ステアリル、ミリスチル又はトリデシルエステル、メルカプトベンゾイミダゾール又は２−メルカプトベンゾイミダゾールの亜鉛塩、亜鉛ジブチルジチオカルバメート、ジオクタデシルジスルフィド、ペンタエリトリトールテトラキス（β−ドデシルメルカプト）プロピオネート。
【０２２０】
９．ポリアミド安定剤
例えば、ヨウ化物及び／又はリン化合物と組み合わせた銅塩及び二価マグネシウムの塩。
【０２２１】
１０．塩基性補助安定剤
例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えばカルシウムステアレート、亜鉛ステアレート、マグネシウムベヘネート、マグネシウムステアレート、ナトリウムリシノレート及びカリウムパルミテート、アンチモンピロカテコレート又は亜鉛ピロカテコレート。
【０２２２】
１１．核剤、
例えば、タルクのような無機物質、二酸化チタン、酸化マグネシウムのような金属酸化物、ホスフェート、好ましくはアルカリ土類金属の炭酸塩又は硫酸塩；モノ−又はポリカルボン酸のような有機化合物及びそれらの塩、例えば、４−第三ブチル安息香酸、アジピン酸、ジフェニル酢酸、コハク酸ナトリウム又は安息香酸ナトリウム；イオンコポリマー（アイオノマー）のようなポリマー化合物。とりわけ好ましくは１，３：２，４−ビス（３’，４’−ジメチルベンジリデン）ソルビトール、１，３：２，４−ジ（パラメチルジベンジリデン）ソルビトール、及び１，３：２，４−ジ（ベンジリデン）ソルビトール。
【０２２３】
１２．充填剤及び強化剤、
例えば、炭酸カルシウム、シリカ、シリケート、ガラス繊維、ガラス球、アスベスト、
タルク、カオリン、マイカ、硫酸バリウム、金属酸化物及び金属水酸化物、カーボンブラック、グラファイト、木粉及び他の天然物の粉末又は繊維、合成繊維。
【０２２４】
１３．他の添加剤
例えば、可塑剤、滑剤、乳化剤、顔料、レオロジー添加剤、触媒、流れ調整剤、蛍光増白剤、防炎加工剤、静電防止剤及び発泡剤。
【０２２５】
１４．ベンゾフラノン及びインドリノン、
例えば、Ｕ．Ｓ．４，３２５，８６３；Ｕ．Ｓ．４，３３８，２４４；Ｕ．Ｓ．５，１７５，３１２；Ｕ．Ｓ．５，２１６，０５２；Ｕ．Ｓ．５，２５２，６４３；ＤＥ−Ａ−４３１６６１１；ＤＥ−Ａ−４３１６６２２；ＤＥ−Ａ−４３１６８７６；ＥＰ−Ａ−０５８９８３９又はＥＰ−Ａ−０５９１１０２に開示されるもの、又は３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチルベンゾフラノ−２−オン、３−（３，５−ジメチル−４−ピバロイルオキシフェニル）−５，７−ジ−第三ブチルベンゾフラノ−２−オン、３−（３，４−ジメチルフェニル）−５，７−ジ−第三ブチルベンゾフラノ−２−オン、３−（２，３−ジメチルフェニル）−５，７−ジ−第三ブチルベンゾフラノ−２−オン。
【０２２６】
成分（Ｉ）、（ＩＩ）及び（ＩＩＩ）及び所望により（Ｘ−１）及び／または（Ｘ−２）及び所望により（ＸＸ）の総量対慣用の添加剤の総量の質量比は、例えば、１００：１ないし１：１０００、または１０：１ないし１：１００、または１０：１ないし１：１０となり得る。
【０２２７】
以下の実施例で本発明をより詳細に説明する。特に記載がない場合は、全てのパーセンテージ及び部は重量に基づく。
【０２２８】
実施例１：ポリプロピレンホモポリマーフィルムの光安定化
１００部の安定化されていないポリプロピレン粉末（メルトフローインデックス３．２ｇ／１０分、２３０℃／２１６０ｇ）を０．０５部のペンタエリトリトル−テトラキス−３−（３，５−ジ第三ブチル−４−ヒドロキシフェニル）−プロピオネート、０．０５部のトリス−［２，４−ジ−第三ブチルフェニル］−ホスフィット、０．１部のＣａステアレート、０．２５部の無機、または有機顔料および表１または表２に示した量の光安定剤を、ブラベンダープラストグラフ中で、２００℃で１０分間均質化する。このようにして得られた材料を実験室用プレス中で２つのアルミニウム箔間において２６０℃、６分間圧縮成形して０．５ｍｍ厚のフィルムにし、それは直ちに水冷プレス中で室温に冷却される。これらの０．５ｍｍフィルムから、６０×２５ｍｍの試料を切り出し、ウエザロメーター（ＷＥＡＴＨＥＲ−ＯＭＥＴＥＲ）Ｃｉ６５（ブラックパネル温度６３±２℃、散水なし）中に曝露する。
定期的に、これらの試料を曝露装置から取り出し、そしてそれらのカルボニル含量を赤外線分光光度計により測定する。０．１のカルボニル吸光度の形成に対応する曝露時間（Ｔ０．１）は光安定剤の安定化効率に対する尺度である。得られた値を表１及び表２にまとめる。
表１：
０．２５％の二酸化チタン（鋭錐石）の存在下における光安定性
【表１】
2004002808.tif 000067
表２：
０．２５％のフタロシアニンブルーの存在下における光安定性
【表２】
2004002808.tif 000068
安定剤（Ｂ−１−ｂ−１）：
（チヌビン　７７０　（登録商標：ＴＩＮＵＶＩＮ　７７０））
【化１１１】
2004002808.tif 000069
安定剤（Ｂ−０−ａ−１）：
（リコビン　８４５（登録商標：ＬＩＣＯＶＩＮ　８４５））
【化１１２】
2004002808.tif 000070
安定剤（Ｃ−１−ａ−１）：
（チマソルブ　９４４（登録商標：ＣＨＩＭＡＳＳＯＲＢ　９４４））
【化１１３】
2004002808.tif 000071
安定剤（Ｃ−２−ａ−１）：
（チマソルブ　１１９（登録商標：ＣＨＩＭＡＳＳＯＲＢ　１１９））
【化１１４】
2004002808.tif 000072
安定剤（Ｃ−１−ｄ−１）：
（シアソルブ　ＵＶ　３３４６（登録商標：ＣＹＡＳＯＲＢ　ＵＶ　３３４６））
【化１１５】
2004002808.tif 000073
安定剤（Ｃ−６−γ−Ｉ）：
（ユバソルブ　ＨＡ　８８（登録商標：ユバソルブ　ＨＡ　８８））
【化１１６】
2004002808.tif 000074
安定剤（Ｃ−１−ｂ−１）：
（チマソルブ　２０２０（登録商標：ＣＨＩＭＡＳＳＯＲＢ　２０２０））
【化１１７】
2004002808.tif 000075
安定剤（Ｃ−１−ｃ−１）：
（ダスチブ　１０８２（登録商標：ＤＡＳＴＩＢ　１０８２））
【化１１８】
2004002808.tif 000076